(57)【要約】      （修正有）【課題】軽量クラウン構成体を有するウッドタイプのゴルフクラブヘッドを提供する。【解決手段】クラブヘッドの上面を画定し、クラウン部分と、クラウン部分に形成され、クラウン棚部と接合壁とによって画定されるクラウン凹部領域と、クラウン凹部領域内に少なくとも部分的に配置されるクラウンインサートと、を含む、クラウンを含む、ゴルフクラブヘッド。クラウンインサートと接合壁との間の接合部のサイズ及び均一性は、クラブヘッド上の限界点における接合部の寸法を測定することによって決定され得る。【選択図】図１Ｃ
2018089365.tif 000002
【特許請求の範囲】
【請求項１】
グリップと、
ゴルフクラブシャフトと、
ホーゼル部分、クラウン、及びソール部分を有するゴルフクラブヘッドであって、
前記クラウンが、前記クラブヘッドの上面を画定し、クラウン部分を備え、前記クラウン部分が、
前記クラウン部分に形成され、クラウン棚部及び接合壁によって画定される、クラウン凹部領域と、
前記クラウン凹部領域内に少なくとも部分的に配置されているクラウンインサートと、を含む、ゴルフクラブヘッドと、
前記ゴルフクラブヘッドのトゥ側から前記ゴルフクラブヘッドのヒール側までのＸ軸に沿って測定される幅寸法と、
前記ゴルフクラブヘッドの最も前方の点から前記ゴルフクラブヘッドの最も後方の点までのＹ軸に沿って測定される奥行き寸法と、
前記幅寸法の中点及び前記奥行き寸法の中点で前記クラウンを通って垂直方向に延在する中心Ｚ軸と、
前記クラブヘッドの前記上面で前記中心Ｚ軸と交差し、前記Ｙ軸と平行に延在する、中心Ｙ軸と、
前記クラブヘッドの前記上面で前記中心Ｚ軸と交差し、前記Ｘ軸と平行に延在する、中心Ｘ軸と、
前記中心Ｚ軸及び前記中心Ｙ軸によって画定される第１の垂直平面と、
前記第１の垂直平面を、前記中心Ｚ軸を中心にして時計回りに３０度回転させることによって画定される、第２の垂直平面と、
前記第１の垂直平面を、前記中心Ｚ軸を中心にして反時計回りに３０度回転させることによって画定される、第３の垂直平面と、
前記中心Ｚ軸及び前記中心Ｘ軸によって画定される、第４の垂直平面と、
前記第４の垂直平面を、前記中心Ｚ軸を中心として時計回りに３０度回転させることによって画定される、第５の垂直平面と、
前記第４の垂直平面を、前記中心Ｚ軸を中心として反時計回りに３０度回転させることによって画定される、第６の垂直平面と、
前記中心Ｙ軸及び前記中心Ｘ軸によって画定されるＸ−Ｙ平面と、
前記第１の垂直平面と前記接合壁の上縁部との間の交点にある、前記クラブヘッドの前側部分に位置する第１の限界点、及び前記第１の限界点において前記接合壁に対して直角である垂直平面上に取られた第１の断面と、
前記第２の垂直平面と前記接合壁の前記上縁部との間の交点にある、前記クラブヘッドの前記前側部分に位置する第２の限界点、及び前記第２の限界点において前記接合壁に対して直角である垂直平面上に取られた第２の断面と、
前記第３の垂直平面と前記接合壁の前記上縁部との間の交点にある、前記クラブヘッドの前記前側部分に位置する第３の限界点、及び前記第３の限界点において前記接合壁に対して直角である垂直平面上に取られた第３の断面と、
前記第５の垂直平面と前記接合壁の前記上縁部との間の交点にある、前記クラブヘッドの前記前側部分に位置する第４の限界点、及び前記第４の限界点において前記接合壁に対して直角である垂直平面上に取られた第４の断面と、
前記第６の垂直平面と前記接合壁の前記上縁部との間の交点にある、前記クラブヘッドの前記前側部分に位置する第５の限界点、及び前記第５の限界点において前記接合壁に対して直角である垂直平面上に取られた第５の断面と、を含み、
それぞれの断面が、前記クラウンインサートと前記接合壁との間の接合間隙を画定し、前記接合壁の前記上縁部と前記クラウンインサートの上部周縁部との間の前記Ｘ−Ｙ平面に平行に測定される、第１の限界寸法を有し、それぞれの断面の前記第１の限界寸法がＡｍｍ以下であり、２つ以上の前記断面間の前記第１の限界寸法の平均変動が０．２ｍｍ以下である、ゴルフクラブ。
【請求項２】
Ａが１．０ｍｍである、請求項１に記載のゴルフクラブ。
【請求項３】
前記２つ以上の断面間の前記第１の限界寸法の前記平均変動が、０．１５ｍｍ以下である、請求項１に記載のゴルフクラブ。
【請求項４】
前記２つ以上の断面間の前記第１の限界寸法の前記平均変動が、０．１ｍｍ〜０ｍｍである、請求項１に記載のゴルフクラブ。
【請求項５】
前記クラウンインサートの一部と、前記クラウン部分の一部とが対比色である、請求項１に記載のゴルフクラブ。
【請求項６】
前記クラウンインサートが、前記クラウンインサートの前記上部周縁部まで延在する上層を含み、前記ゴルフクラブヘッドの前記前側部分に位置する前記クラウンインサートの前記上部周縁部において可視である、請求項１に記載のゴルフクラブ。
【請求項７】
前記接合間隙が可視であり、マスキング層によってカバーされていない、請求項１に記載のゴルフクラブ。
【請求項８】
前記ソール部分に形成され、ソール棚部及び接合壁によって画定されている、ソール凹部領域と、
前記ソール凹部領域内に少なくとも部分的に配置されているソールインサートと、を更に含む、請求項１に記載のゴルフクラブ。
【請求項９】
それぞれの断面が、前記接合壁と前記クラウンインサートの底部周縁部との間の前記Ｘ−Ｙ平面に平行して測定される第２の限界寸法を有し、それぞれの断面の前記第２の限界寸法が、Ｂｍｍ以下であり、２つ以上の前記断面間の前記第２の限界寸法の平均変動が、０．２ｍｍ以下である、請求項１に記載のゴルフクラブ。
【請求項１０】
Ｂが１．０ｍｍである、請求項９に記載のゴルフクラブ。
【請求項１１】
前記２つ以上の断面間の前記第２の限界寸法の前記平均変動が、０．１５ｍｍ以下である、請求項９に記載のゴルフクラブ。
【請求項１２】
前記２つ以上の断面間の前記第２の限界寸法の前記平均変動が、０．２ｍｍ〜０ｍｍである、請求項９に記載のゴルフクラブ。
【請求項１３】
前記クラウンインサートの前記上部周縁部における前記クラウンインサートの前記上面の少なくとも一部が、前記接合壁における前記クラウン部分の上面より下に配置されている、請求項１に記載のゴルフクラブ。
【請求項１４】
前記クラウンインサートの前記上部周縁部における前記クラウンインサートの前記上面の少なくとも一部が、前記接合壁における前記クラウン部分の前記上面より、垂直距離で０．１ｍｍ〜０．３ｍｍだけ下に配置されている、請求項１３に記載のゴルフクラブ。
【請求項１５】
前記ホーゼル部分が、前記ゴルフクラブシャフトに装着されたスリーブを受容するように構成されており、前記スリーブが、前記ゴルフクラブヘッドのロフト角、ライ角、又はフェース角を調節するように位置付けられることが可能である、請求項１に記載のゴルフクラブ。
【請求項１６】
前記クラウン棚部が、棚部表面と前記クラウンインサートとの間の棚部間隙を画定する棚部表面を含み、前記棚部間隙が０．３ｍｍ以下である、請求項１に記載のゴルフクラブ。
【請求項１７】
前記クラウンインサートの厚さが、１ｍｍ以下である、請求項１に記載のゴルフクラブ。
【請求項１８】
前記第４の垂直平面と前記接合壁の前記上縁部との間の交点にある、前記クラブヘッドのトゥ部分に位置する第６の限界点、及び前記第６の限界点において前記接合壁に対して直角である垂直平面上に取られた第６の断面と、
前記第４の垂直平面と前記接合壁の前記上縁部との間の交点にある、前記クラブヘッドのヒール部分に位置する第７の限界点、及び前記第７の限界点において前記接合壁に対して直角である垂直平面上に取られた第７の断面と、を含む、請求項１に記載のゴルフクラブ。
【請求項１９】
前記ゴルフクラブヘッドが、前記ゴルフクラブヘッドの第１の位置から第２の位置へ移動するように構成されている移動可能ウェイトを含む、請求項１に記載のゴルフクラブ。
【請求項２０】
ゴルフクラブヘッドであって、
前記クラブヘッドの上面を画定するクラウンであって、
クラウン部分と、
前記クラウン部分に形成され、クラウン棚部及び接合壁によって画定される、クラウン凹部領域と、
前記クラウン凹部領域内に少なくとも部分的に配置されているクラウンインサートと、を含む、クラウンと、
前記ゴルフクラブヘッドのトゥ側から前記ゴルフクラブヘッドの前記ヒール側までのＸ軸に沿って測定される幅寸法と、
前記ゴルフクラブヘッドの最も前方の点から前記ゴルフクラブヘッドの最も後方の点までのＹ軸に沿って測定される奥行き寸法と、
前記幅寸法の中点及び前記奥行き寸法の中点で前記クラウンを通って垂直方向に延在する中心Ｚ軸と、
前記クラブヘッドの前記上面で前記中心Ｚ軸と交差し、前記Ｙ軸と平行に延在する、中心Ｙ軸と、
前記クラブヘッドの前記上面で前記中心Ｚ軸と交差し、前記Ｘ軸と平行に延在する、中心Ｘ軸と、
前記中心Ｚ軸及び前記中心Ｙ軸によって画定される第１の垂直平面と、
前記第１の垂直平面を、前記中心Ｚ軸を中心として時計回りにθ度回転させることによって画定される、第２の垂直平面と、
前記第１の垂直平面を、前記中心Ｚ軸を中心として反時計回りにθ度回転させることによって画定される、第３の垂直平面と、
前記中心Ｚ軸及び前記中心Ｘ軸によって画定される、第４の垂直平面と、
前記第４の垂直平面を、前記中心Ｚ軸を中心として時計回りにβ度回転させることによって画定される、第５の垂直平面と、
前記第４の垂直平面を、前記中心Ｚ軸を中心として反時計回りにβ度回転させることによって画定される、第６の垂直平面と、
前記中心Ｙ軸及び前記中心Ｘ軸によって画定されるＸ−Ｙ平面と、
前記第１の垂直平面と前記接合壁の上縁部との間の交点にある、前記クラブヘッドの前側部分に位置する第１の限界点、及び前記第１の限界点において前記接合壁に対して直角である垂直平面上に取られた第１の断面と、
前記第２の垂直平面と前記接合壁の前記上縁部との間の交点にある、前記クラブヘッドの前記前側部分に位置する第２の限界点、及び前記第２の限界点において前記接合壁に対して直角である垂直平面上に取られた第２の断面と、
前記第３の垂直平面と前記接合壁の前記上縁部との間の交点にある、前記クラブヘッドの前記前側部分に位置する第３の限界点、及び前記第３の限界点において前記接合壁に対して直角である垂直平面上に取られた第３の断面と、
前記第５の垂直平面と前記接合壁の前記上縁部との間の交点にある、前記クラブヘッドの前記前側部分に位置する第４の限界点、及び前記第４の限界点において前記接合壁に対して直角である垂直平面上に取られた第４の断面と、
前記第６の垂直平面と前記接合壁の前記上縁部との間の交点にある、前記クラブヘッドの前記前側部分に位置する第５の限界点、及び前記第５の限界点において前記接合壁に対して直角である垂直平面上に取られた第５の断面と、を含み、
それぞれの断面が、前記クラウンインサートと前記接合壁との間の接合間隙を画定し、前記接合壁の前記上縁部と前記クラウンインサートの上部周縁部との間のＸ−Ｙ平面に平行に測定される、第１の限界寸法を有し、それぞれの断面の前記第１の限界寸法がＡｍｍ以下であり、７つ以上の前記断面間の前記第１の限界寸法の平均変動が０．１５ｍｍ以下であり、
θが１度〜４５度の範囲であり、βが１度〜４４度の範囲である、ゴルフクラブヘッド。
【請求項２１】
Ａが１．０ｍｍであり、θ及びβが３０度である、請求項２０に記載のゴルフクラブヘッド。
【請求項２２】
ゴルフクラブヘッドであって、
ホーゼル部分、クラウン、及びソール部分であって、
前記クラウンが、前記クラブヘッドの上面を画定し、クラウン部分を備え、前記クラウン部分が、
前記クラウン部分に形成され、クラウン棚部及び接合壁によって画定される、クラウン凹部領域と、
前記クラウン凹部領域内に少なくとも部分的に配置されているクラウンインサートと、を含む、クラウン部分を含む、ホーゼル部分、クラウン、及びソール部分と、
前記ゴルフクラブヘッドのトゥ側から前記ゴルフクラブヘッドの前記ヒール側までのＸ軸に沿って測定される幅寸法と、
前記ゴルフクラブヘッドの最も前方の点から前記ゴルフクラブヘッドの最も後方の点までのＹ軸に沿って測定される奥行き寸法と、
前記幅寸法の中点及び前記奥行き寸法の中点で前記クラウンを通って垂直方向に延在する中心Ｚ軸と、
前記クラブヘッドの前記上面で前記中心Ｚ軸と交差し、前記Ｙ軸と平行に延在する、中心Ｙ軸と、
前記クラブヘッドの前記上面で前記中心Ｚ軸と交差し、前記Ｘ軸と平行に延在する、中心Ｘ軸と、
前記中心Ｚ軸及び前記中心Ｙ軸によって画定される第１の垂直平面と、
前記第１の垂直平面を、前記中心Ｚ軸を中心にして時計回りに３０度回転させることによって画定される、第２の垂直平面と、
前記第１の垂直平面を、前記中心Ｚ軸を中心にして反時計回りに３０度回転させることによって画定される、第３の垂直平面と、
前記中心Ｚ軸及び前記中心Ｘ軸によって画定される、第４の垂直平面と、
前記第４の垂直平面を、前記中心Ｚ軸を中心として時計回りに３０度回転させることによって画定される、第５の垂直平面と、
前記第４の垂直平面を、前記中心Ｚ軸を中心として反時計回りに３０度回転させることによって画定される、第６の垂直平面と、
中心Ｙ軸及び中心Ｘ軸によって画定されるＸ−Ｙ平面と、
前記第１の垂直平面と前記接合壁の上縁部との間の交点にある、前記クラブヘッドの前側部分に位置する第１の限界点、及び前記第１の限界点において前記接合壁に対して直角である垂直平面上に取られた第１の断面と、
前記第２の垂直平面と前記接合壁の前記上縁部との間の交点にある、前記クラブヘッドの前記前側部分に位置する第２の限界点、及び前記第２の限界点において前記接合壁に対して直角である垂直平面上に取られた第２の断面と、
前記第３の垂直平面と前記接合壁の前記上縁部との間の交点にある、前記クラブヘッドの前記前側部分に位置する第３の限界点、及び前記第３の限界点において前記接合壁に対して直角である垂直平面上に取られた第３の断面と、
前記第５の垂直平面と前記接合壁の前記上縁部との間の交点にある、前記クラブヘッドの前記前側部分に位置する第４の限界点、及び前記第４の限界点において前記接合壁に対して直角である垂直平面上に取られた第４の断面と、
前記第６の垂直平面と前記接合壁の前記上縁部との間の交点にある、前記クラブヘッドの前記前側部分に位置する第５の限界点、及び前記第５の限界点において前記接合壁に対して直角である垂直平面上に取られた第５の断面と、を含み、
それぞれの断面が、前記クラウンインサートと前記接合壁との間の接合間隙を画定し、前記接合壁の前記上縁部と前記クラウンインサートの上部周縁部との間の前記Ｘ−Ｙ平面に平行に測定される、第１の限界寸法を有し、それぞれの断面の前記第１の限界寸法がＡｍｍ以下であり、５つ以上の前記断面間の前記第１の限界寸法の前記平均変動が０．２ｍｍ以下である、ゴルフクラブヘッド。
【請求項２３】
前記ホーゼル部分が、スリーブを受容するように構成されており、前記スリーブが、前記ゴルフクラブヘッドのロフト角、ライ角、又はフェース角を調節するように位置付けられること、及び機械的締結具によって前記ゴルフクラブヘッドに結合されることが可能である、請求項２２に記載のゴルフクラブヘッド。
【請求項２４】
前記５つ以上の断面間の前記第１の限界寸法の前記平均変動が、０．１５ｍｍ以下である、請求項２２に記載のゴルフクラブヘッド。
【発明の詳細な説明】
【発明の分野】
【０００１】
本開示は、ゴルフクラブヘッドに関する。より具体的には、本開示は、軽量クラウン構成体を有するウッドタイプのゴルフクラブヘッドなどのゴルフクラブヘッドに関する。
【技術背景】
【０００２】
ウッドタイプのゴルフクラブヘッドは、内在型又は装着型の打撃プレートを備えた耐荷重外殻を含む。一部のクラブヘッドは、金属材料から形成され、中空の空洞を有する。金属本体は、共に溶接された幾つかの部分を含み得、又は適切な位置に溶接される別個のソールプレート若しくは打撃プレートを備える円柱本体を含み得る。
【０００３】
今日、ほとんどのクラブヘッドは、頑丈であるが、軽量の金属材料、例えば、チタン、鋼、又はアルミニウム合金などから作製されている。炭素繊維複合材料から形成されたヘッドも存在している。これらの材料の使用は、ゴルファーが現在求めるより大きいクラブヘッド、すなわち、少なくとも３００ｃｃ及び最大約５００ｃｃの容量のクラブヘッドに有利である。より大きいサイズであるが、従来の重量があるクラブヘッドは、打撃フェース及びクラブ上のより大きい「スイートスポット」に、一部のゴルファーにとって空中においてより高い精度でゴルフボールを上昇させることを容易にする、慣性モーメントを提供することを目指している。
【０００４】
チタン合金は、強度及び軽量の組み合わせを目的としたクラブヘッド設計で特に好まれている。ただし、材料は非常に高価であり得る。鋼合金はより経済的であるが、鋼合金の密度はチタン合金の密度よりも大きいため、鋼製クラブヘッドは、耐久性を維持しながら従来のヘッド重量内を維持するためにサイズが制限されている。
【０００５】
例えば、炭素繊維強化エポキシ又は炭素繊維強化ポリマーなどの複合クラブヘッドは、金属クラブヘッドの代替である。注目すべき利点は、ステンレス鋼合金と比べて相対的に計量であることである。ただし、これらのクラブヘッドは、複合材料に関連付けられた耐久性及び性能品質に悩まされてきた。これらには、製造におけるより高い労働費、複合材料の望ましくない吸音性が挙げられる。
【０００６】
費用効果の大きいプロセスを使用して製造することができる、軽量で耐久性のあるゴルフクラブヘッドが所望され得る。したがって、ゴルフクラブヘッドの構成及び製造における革新の継続的な必要性が存在する。本明細書で述べる実施形態は、この必要性及びその他を満たしている。
【発明の開示】
【課題を解決するための手段】
【０００７】
本開示では、ヒール部分、トゥ部分、クラウン、ソール、及びフェースを含むゴルフクラブヘッドについて説明する。
【０００８】
本発明の前記の及びその他の対象、特徴、及び利点は、添付図を参照しながら進める以下の発明を実施するための形態から、より明らかになるであろう。
【０００９】
幾つかの実施形態は、グリップと、ゴルフクラブシャフトと、ホーゼル部分、クラウン、及びソール部分を有するゴルフクラブヘッドであって、クラウンが、クラブヘッドの上面を画定し、クラウン部分を備え、そのクラウン部分が、クラウン部分に形成され、クラウン棚部及び接合壁によって画定される、クラウン凹部領域と、クラウン凹部領域内に少なくとも部分的に配置されているクラウンインサートと、を含む、ゴルフクラブヘッドと、を含む、ゴルフクラブに向けられている。ゴルフクラブはまた、ゴルフクラブヘッドのトゥ側からゴルフクラブヘッドのヒール側までのＸ軸に沿って測定される幅寸法と、ゴルフクラブヘッドの最も前方の点からゴルフクラブヘッドの最も後方の点までのＹ軸に沿って測定される奥行き寸法と、幅寸法の中点及び奥行き寸法の中点でクラウンを通って垂直方向に延在する中心Ｚ軸と、クラブヘッドの上面で中心Ｚ軸と交差し、Ｙ軸に平行して延在する、中心Ｙ軸と、クラブヘッドの上面で中心Ｚ軸と交差し、Ｘ軸に平行して延在する、中心Ｘ軸と、中心Ｚ軸及び中心Ｙ軸によって画定される第１の垂直平面と、第１の垂直平面を、中心Ｚ軸の周りで時計回りに３０度回転させることによって画定される、第２の垂直平面と、第１の垂直平面を、中心Ｚ軸の周りで反時計回りに３０度回転させることによって画定される、第３の垂直平面と、中心Ｚ軸及び中心Ｘ軸によって画定される、第４の垂直平面と、第４の垂直平面を、中心Ｚ軸の周りで時計回りに３０度回転させることによって画定される、第５の垂直平面と、第４の垂直平面を、中心Ｚ軸の周りで反時計回りに３０度回転させることによって画定される、第６の垂直平面と、中心Ｙ軸及び中心Ｘ軸によって画定されるＸ−Ｙ平面と、第１の垂直平面と接合壁の上縁部との間の交点にある、クラブヘッドの前側部分に位置する第１の限界点、及び第１の限界点において接合壁に対して直角である垂直平面上で取られた第１の断面と、第２の垂直平面と接合壁の上縁部との間の交点にある、クラブヘッドの前側部分に位置する第２の限界点、及び第２の限界点において接合壁に対して直角である垂直平面上で取られた第２の断面と、第３の垂直平面と接合壁の上縁部との間の交点にある、クラブヘッドの前側部分に位置する第３の限界点、及び第３の限界点において接合壁に対して直角である垂直平面上で取られた第３の断面と、第５の垂直平面と接合壁の上縁部との間の交点にある、クラブヘッドの前側部分に位置する第４の限界点、及び第４の限界点において接合壁に対して直角である垂直平面上で取られた第４の断面と、第６の垂直平面と接合壁の上縁部との間の交点にある、クラブヘッドの前側部分に位置する第５の限界点、及び第５の限界点において接合壁に対して直角である垂直平面上で取られた第５の断面と、を含む。それぞれの断面は、クラウンインサートと接合壁との間の接合間隙を画定し、接合壁の上縁部とクラウンインサートの上部周縁部との間のＸ−Ｙ平面に平行に測定される、第１の限界寸法を有し、それぞれの断面の第１の限界寸法はＡｍｍ以下であり、２つ以上の断面間の第１の限界寸法の平均変動（average variation）は０．２ｍｍ以下である。
【００１０】
幾つかの実施形態では、Ａは１．０ｍｍであってよい。幾つかの実施形態では、２つ以上の断面間の第１の限界寸法の平均変動は、０．１５ｍｍ以下である。幾つかの実施形態では、２つ以上の断面間の第１の限界寸法の平均変動は、０．１ｍｍ〜０ｍｍである。
【００１１】
幾つかの実施形態では、クラウンインサートの一部及びクラウン部分の一部は、対比色であってよい。幾つかの実施形態では、クラウンインサートは、クラウンインサートの上部周縁部まで延在する上層を含んでよく、ゴルフクラブヘッドの前側部分に位置するクラウンインサートの上部周縁部で可視である。幾つかの実施形態では、接合間隙は可視であり、マスキング層によってカバーされていなくてもよい。
【００１２】
幾つかの実施形態では、ゴルフクラブは、ソール部分に形成され、ソール棚部と接合壁とによって画定される、ソール凹部領域と、ソール凹部領域内に少なくとも部分的に配置されるソールインサートと、を含んでよい。
【００１３】
幾つかの実施形態では、それぞれの断面は、接合壁とクラウンインサートの底部周縁部との間のＸ−Ｙ平面に平行して測定される第２の限界寸法を有してよく、それぞれの断面の第２の限界寸法は、Ｂｍｍ以下であってよく、２つ以上の断面間の第２の限界寸法の平均変動は、０．２ｍｍ以下であってよい。幾つかの実施形態では、Ｂは１．０ｍｍであってよい。
【００１４】
幾つかの実施形態では、２つ以上の断面間における第２の限界寸法の平均変動は、０．１５ｍｍ以下である。幾つかの実施形態では、２つ以上の断面間の第２の限界寸法の平均変動は、０．２ｍｍ〜０ｍｍである。
【００１５】
幾つかの実施形態では、クラウンインサートの上部周縁部におけるクラウンインサートの上面の少なくとも一部は、接合壁におけるクラウン部分の上面より下に配置されてよい。幾つかの実施形態では、クラウンインサートの上部周縁部におけるクラウンインサートの上面の少なくとも一部は、接合壁におけるクラウン部分の上面より、垂直距離で０．１ｍｍ〜０．３ｍｍだけ下に配置されてよい。
【００１６】
幾つかの実施形態では、ホーゼル部分は、ゴルフクラブシャフトに装着されたスリーブを受容するように構成されてよく、スリーブは、ゴルフクラブヘッドのロフト角、ライ角、又はフェース角を調節するように位置付けられることができる。
【００１７】
幾つかの実施形態では、クラウン棚部は、棚部表面とクラウンインサートとの間の棚部間隙を画定する棚部表面を含んでよく、棚部間隙は０．３ｍｍ以下であってよい。
【００１８】
幾つかの実施形態では、クラウンインサートの厚さは、１ｍｍ以下であってよい。
【００１９】
幾つかの実施形態では、ゴルフクラブは、第４の垂直平面と接合壁の上縁部との間の交点にある、クラブヘッドのトゥ部分に位置する第６の限界点、及び第６の限界点において接合壁に対して直角である垂直平面上で取られた第６の断面と、第４の垂直平面と接合壁の上縁部との間の交点にある、クラブヘッドのヒール部分に位置する第７の限界点、及び第７の限界点において接合壁に対して直角である垂直平面上で取られた第７の断面と、を含んでよい。
【００２０】
幾つかの実施形態では、ゴルフクラブヘッドは、ゴルフクラブヘッドの第１の位置から第２の位置へ移動されるように構成された、移動可能ウェイトを含んでよい。
【００２１】
幾つかの実施形態は、クラブヘッドの上面を画定するクラウンを含むゴルフクラブヘッドに向けられており、クラウンは、クラウン部分と、クラウン部分に形成され、クラウン棚部と接合壁とによって画定されるクラウン凹部領域と、クラウン凹部領域内に少なくとも部分的に配置されるクラウンインサートと、を含む。ゴルフクラブヘッドはまた、ゴルフクラブヘッドのトゥ側からゴルフクラブヘッドのヒール側までのＸ軸に沿って測定される幅寸法と、ゴルフクラブヘッドの最も前方の点からゴルフクラブヘッドの最も後方の点までのＹ軸に沿って測定される奥行き寸法と、幅寸法の中点及び奥行き寸法の中点でクラウンを通って垂直方向に延在する中心のＺ軸と、クラブヘッドの上面で中心Ｚ軸と交差し、Ｙ軸に平行して延在する、中心Ｙ軸と、クラブヘッドの上面で中心Ｚ軸と交差し、Ｘ軸に平行して延在する、中心Ｘ軸と、中心Ｚ軸及び中心Ｙ軸によって画定される第１の垂直平面と、第１の垂直平面を、中心Ｚ軸を中心として時計回りにθ度回転させることによって画定される、第２の垂直平面と、第１の垂直平面を、中心Ｚ軸を中心として反時計回りにθ度回転させることによって画定される、第３の垂直平面と、中心Ｚ軸及び中心Ｘ軸によって画定される、第４の垂直平面と、第４の垂直平面を、中心Ｚ軸を中心として時計回りにβ度回転させることによって画定される、第５の垂直平面と、第４の垂直平面を、中心Ｚ軸を中心として反時計回りにβ度回転させることによって画定される、第６の垂直平面と、中心Ｙ軸及び中心Ｘ軸によって画定されるＸ−Ｙ平面と、第１の垂直平面と接合壁の上縁部との間の交点にある、クラブヘッドの前側部分に位置する第１の限界点、及び第１の限界点において接合壁に対して直角である垂直平面上で取られた第１の断面と、第２の垂直平面と接合壁の上縁部との間の交点にある、クラブヘッドの前側部分に位置する第２の限界点、及び第２の限界点において接合壁に対して直角である垂直平面上で取られた第２の断面と、第３の垂直平面と接合壁の上縁部との間の交点にある、クラブヘッドの前側部分に位置する第３の限界点、及び第３の限界点において接合壁に対して直角である垂直平面上で取られた第３の断面と、第５の垂直平面と接合壁の上縁部との間の交点にある、クラブヘッドの前側部分に位置する第４の限界点、及び第４の限界点において接合壁に対して直角である垂直平面上で取られた第４の断面と、第６の垂直平面と接合壁の上縁部との間の交点にあるクラブヘッドの前側部分に位置する第５の限界点、及び第５の限界点において接合壁に対して直角である垂直平面上で取られた第５の断面と、含む。それぞれの断面は、クラウンインサートと接合壁との間の接合間隙を画定し、接合壁の上縁部とクラウンインサートの上部周縁部との間のＸ−Ｙ平面に平行に測定される、第１の限界寸法を有し、それぞれの断面の第１の限界寸法はＡｍｍ以下であり、７つ以上の断面間の第１の限界寸法の平均変動は０．１５ｍｍ以下であり、θは１度〜４５度の範囲であり、βは１度〜４４度の範囲である。
【００２２】
幾つかの実施形態では、Ａは、１．０ｍｍであってよく、θ及びβは３０度であってよい。
【００２３】
幾つかの実施形態は、ホーゼル部分、クラウン、及びソール部分を含むゴルフクラブヘッドに向けられており、クラウンは、クラブヘッドの上面を画定し、クラウン部分を備え、そのクラウン部分が、クラウン部分に形成され、クラウン棚部及び接合壁によって画定される、クラウン凹部領域と、クラウン凹部領域内に少なくとも部分的に配置されているクラウンインサートと、を含んでいる。ゴルフクラブヘッドはまた、ゴルフクラブヘッドのトゥ側からゴルフクラブヘッドのヒール側までのＸ軸に沿って測定される幅寸法と、ゴルフクラブヘッドの最も前方の点からゴルフクラブヘッドの最も後方の点までのＹ軸に沿って測定される奥行き寸法と、幅寸法の中点及び奥行き寸法の中点でクラウンを通って垂直方向に延在する中心Ｚ軸と、クラブヘッドの上面で中心Ｚ軸と交差し、Ｙ軸に平行して延在する、中心Ｙ軸と、クラブヘッドの上面で中心Ｚ軸と交差し、Ｘ軸に平行して延在する、中心Ｘ軸と、中心Ｚ軸及び中心Ｙ軸によって画定される第１の垂直平面と、第１の垂直平面を、中心Ｚ軸を中心として時計回りに３０度回転させることによって画定される、第２の垂直平面と、第１の垂直平面を、中心Ｚ軸を中心として反時計回りに３０度回転させることによって画定される、第３の垂直平面と、中心Ｚ軸及び中心Ｘ軸によって画定される、第４の垂直平面と、第４の垂直平面を、中心Ｚ軸を中心として時計回りに３０度回転させることによって画定される、第５の垂直平面と、第４の垂直平面を、中心Ｚ軸を中心として反時計回りに３０度回転させることによって画定される、第６の垂直平面と、中心Ｙ軸及び中心Ｘ軸によって画定されるＸ−Ｙ平面と、第１の垂直平面と接合壁の上縁部との間の交点にある、クラブヘッドの前側部分に位置する第１の限界点、及び第１の限界点において接合壁に対して直角である垂直平面上で取られた第１の断面と、第２の垂直平面と接合壁の上縁部との間の交点にある、クラブヘッドの前側部分に位置する第２の限界点、及び第２の限界点において接合壁に対して直角である垂直平面上で取られた第２の断面と、第３の垂直平面と接合壁の上縁部との間の交点にある、クラブヘッドの前側部分に位置する第３の限界点、及び第３の限界点において接合壁に対して直角である垂直平面上で取られた第３の断面と、第５の垂直平面と接合壁の上縁部との間の交点にある、クラブヘッドの前側部分に位置する第４の限界点、及び第４の限界点において接合壁に対して直角である垂直平面上で取られた第４の断面と、第６の垂直平面と接合壁の上縁部との間の交点にある、クラブヘッドの前側部分に位置する第５の限界点、及び第５の限界点において接合壁に対して直角である垂直平面上で取られた第５の断面と、を含む。それぞれの断面は、クラウンインサートと接合壁との間の接合間隙を画定し、接合壁の上縁部とクラウンインサートの上部周縁部との間のＸ−Ｙ平面に平行に測定される、第１の限界寸法を有し、それぞれの断面の第１の限界寸法はＡｍｍ以下であり、５つ以上の断面間の第１の限界寸法の平均変動は０．２ｍｍ以下である。
【００２４】
幾つかの実施形態では、ホーゼル部分は、スリーブを受容するように構成されてよく、スリーブは、ゴルフクラブヘッドのロフト角、ライ角、又はフェース角を調節するように位置付けられること、及び機械的締結具によってゴルフクラブヘッドに結合されることが可能である。
【００２５】
幾つかの実施形態では、５つ以上の断面間における第１の限界寸法の平均変動は、０．１５ｍｍ以下であってよい。
【図面の簡単な説明】
【００２６】
本発明は、限定するものではないが、添付図面の図に例として示されており、図中の同様の参照番号は、類似の要素を示す。
【００２７】
【図１Ａ】図１Ａは、幾つかの実施形態による、ゴルフクラブヘッドの前面図である。
【００２８】
【図１Ｂ】図１Ｂは、幾つかの実施形態による、ゴルフクラブヘッドの底面図である。
【００２９】
【図１Ｃ】図１Ｃは、図１Ｂの切断線１Ｃ−１Ｃに沿った幾つかの実施形態による、ゴルフクラブヘッドの断面図である。
【００３０】
【図１Ｄ】図１Ｄは、幾つかの実施形態による、ゴルフクラブヘッドの上面図である。
【００３１】
【図１Ｅ】図１Ｅは、幾つかの実施形態による、ゴルフクラブヘッドのヒール側面図である。
【００３２】
【図１Ｆ】図１Ｆは、図１Ｄの切断線１Ｆ−１Ｆに沿った幾つかの実施形態による、ゴルフクラブヘッドの断面図である。
【００３３】
【図２】図２は、一実施形態によるホーゼルインサートの等角図である。
【００３４】
【図３Ａ】図３Ａは、幾つかの実施形態による、中心測定軸を示したゴルフクラブヘッドの前面図である。
【００３５】
【図３Ｂ】図３Ｂは、図３Ａのゴルフクラブヘッドのヒール側面図である。
【００３６】
【図３Ｃ】図３Ｃは、図３Ａのゴルフクラブヘッドの上面図である。
【００３７】
【図４Ａ】図４Ａは、幾つかの実施形態による、ゴルフクラブヘッドの底面図である。
【００３８】
【図４Ｂ】図４Ｂは、幾つかの実施形態による、ゴルフクラブヘッド及びクラウンインサートの上面図である。
【００３９】
【図４Ｃ】図４Ｃは、図４Ａの切断線４Ｃ−４Ｃに沿った幾つかの実施形態による、ゴルフクラブヘッドの断面図である。
【００４０】
【図４Ｄ】図４Ｄは、幾つかの実施形態による、ゴルフクラブヘッドの上面図である。
【００４１】
【図５Ａ】図５Ａは、幾つかの実施形態による、限界点において接合壁に対して直角に取られたゴルフクラブヘッドの断面図である。
【００４２】
【図５Ｂ】図５Ｂは、図５Ａの一部の拡大図である。
【００４３】
【図６Ａ】図６Ａは、幾つかの実施形態による、限界点において接合壁に対して直角に取られたゴルフクラブヘッドの断面図である。
【００４４】
【図６Ｂ】図６Ｂは、図６Ａの一部の拡大図である。
【００４５】
【図７Ａ】図７Ａは、幾つかの実施形態による、限界点において接合壁に対して直角に取られたゴルフクラブヘッドの断面図である。
【００４６】
【図７Ｂ】図７Ｂは、図７Ａの一部の拡大図である。
【００４７】
【図８Ａ】図８Ａは、幾つかの実施形態による、限界点において接合壁に対して直角に取られたゴルフクラブヘッドの断面図である。
【００４８】
【図８Ｂ】図８Ｂは、図８Ａの一部の拡大図である。
【００４９】
【図９Ａ】図９Ａは、幾つかの実施形態による、限界点において接合壁に対して直角に取られたゴルフクラブヘッドの断面図である。
【００５０】
【図９Ｂ】図９Ｂは、図９Ａの一部の拡大図である。
【００５１】
【図１０Ａ】図１０Ａは、幾つかの実施形態による、ゴルフクラブヘッドの底面図である。
【００５２】
【図１０Ｂ】図１０Ｂは、幾つかの実施形態による、ゴルフクラブヘッド及びクラウンインサートの上面斜視図である。
【００５３】
【図１０Ｃ】図１０Ｃは、図１０Ａの切断線１０Ｃ−１０Ｃに沿った幾つかの実施形態による、ゴルフクラブヘッドの断面図である。
【００５４】
【図１０Ｄ】図１０Ｄは、幾つかの実施形態による、ゴルフクラブヘッドの上面図である。
【００５５】
【図１１】図１１は、幾つかの実施形態によるゴルフクラブである。
【００５６】
【図１２】図１２は、幾つかの実施形態による、限界点において接合壁に対して直角に取られたゴルフクラブヘッドの断面図である。
【発明を実施するための形態】
【００５７】
本発明の様々な実施形態及び態様は、後述する詳細を参照して説明する。以下の説明及び図は、本発明の実例であり、本発明を限定するものとして解釈されるべきではない。本発明の様々な実施形態の十分な理解を提供するため、多数の特異的な詳細について説明する。しかしながら、特定の事例においては、本発明の実施形態の簡潔な考察を提供するため、周知の詳細又は従来の詳細については説明しない。
【００５８】
２つ以上の材料（例えば、金属材料及び複合材料）で構成されるゴルフクラブヘッドは、ゴルファーに有益な特性（例えば、重量特性、音特性、サイズ特性、及び重心特性）を提供し得る。場合によっては、複合クラブヘッドは、金属本体と、複合材料を含む１つ又は２つ以上のインサートと、を含み得る。例えば、複合材料のインサートは、クラブヘッドのクラウンの一部を画定し得る。複合インサートは、複合材料の軽量及び高強度特性により、クラブヘッドの機械的特性（例えば、強度及び衝撃性能特質）を犠牲にすることなく、所定のクラブヘッド形状の重量を軽減させる働きをし得る。
【００５９】
しかしながら、２つの材料間の接合部（すなわち、第１の材料が第２の材料に接合されている位置）における耐久性は、問題を含み得る。例えば、複合材料と金属材料との間の接合部における耐久性は、問題を含み得る。多くの場合は接着剤によって接合される、複合材料と金属材料との間の接合部は、応力集中の中心であり得、そのことがこれらの接合部に望ましくないひび割れをもたらし得る。大量の応力集中を回避するため、複合材料と金属材料との間の接合部は、均一性及び一貫性があるべきである。例えば、接合部（例えば、接合している接着剤の位置）における複合材料と金属材料との間の分離部は、材料間の接合部に沿って均一性及び一貫性があるべきである。更に、接合部における複合材料と金属材料との間の分離部の量を最小限に抑えることは、それによって、複合材料及び金属材料よりもひび割れしやすい可能性がある接合部に位置する接着剤の量を軽減することができるため、ひび割れの形成を回避するのに役立ち得る。
【００６０】
しかしながら、複合材料と金属材料との間の均一性及び一貫性があり、かつ／又は（and and/or）最小限にサイズ設定された接合部が所望され得る一方、かかる接合部の製造費が懸念され得る。本明細書では、更なる機械加工工程を必要とせずに、金属クラブヘッド上の凹部又は空洞の中へ、別個に機械加工して配置され得る複合インサートを説明する。かかるプロセスは、ゴルフクラブヘッド及び／又はゴルフクラブの製造業者及び／又は消費者に対する費用を削減し得る。
【００６１】
２つの材料間の接合部の均一性、一貫性、及びサイズは、接合部における２つの材料間の分離部の１つ以上の寸法を測定することによって特性化され得る。分離部の寸法は、クラブヘッド上の特定の位置（すなわち、本明細書で述べる限界点）で測定されて、２つの材料間の接合部の均一性、一貫性、及び／又はサイズが決定され得る。高い均一性及び高い一貫性を持つように調整された接合部寸法を有するクラブヘッドは、２つの材料間の接合部における望ましくない応力集中の形成を回避するのに役立ち得る。非均一の又は一貫性のない寸法公差による望ましくない応力集中は、クラブヘッド上の機械的及び／又は視覚的欠点（例えば、ひび割れ）をもたらし得る。
【００６２】
図１Ａ〜１Ｆは、ヒール側１０２と、トゥ側１０４と、クラブフェース１０８及び打撃フェース１０９を有する前側１０６と、後側１１０と、上面１１６を有する上側１１４（クラウンとも呼ばれる）と、底面１２０を有する底側１１８（ソール又はソール部分とも呼ばれる）と、ホーゼル（ホーゼル部分とも呼ばれる）１５０と、ホーゼル軸１５４と、ホーゼルインサート１５８と、ライ角１６８と、を有するゴルフクラブヘッド１００を示す。ゴルフクラブヘッド１００は、ゴルフクラブヘッドがアドレス位置に位置付けられているときに測定された、幅寸法Ｗ、高さ寸法Ｈ、及び奥行き寸法Ｄを有する。ゴルフクラブヘッドのアドレス位置は、ライ角５７度のゴルフクラブヘッド、及びクラブヘッドの指定ロフトに調節されたクラブのロフトとして定義される。特に明記しない限り、本明細書に記載されている測定寸法はすべて、ゴルフクラブヘッドがアドレス位置に配向されているときに評価されている。ライ角５７度のゴルフクラブヘッドが、前側フェースの観点から視覚的に平らでないように見える場合、「スコアラインライ」と呼ばれる代替のライ角が使用されている可能性がある。スコアラインライは、実質的に水平なフェースのスコアラインが、完全に平坦な地表面に平行であるライ角として定義される。
【００６３】
ゴルフクラブヘッド１００の幅寸法Ｗは、５インチを超えることはできず、ゴルフクラブヘッド１００の奥行き寸法Ｄは、幅寸法Ｗを超えることはできない。ゴルフクラブヘッド１００の高さ寸法Ｈは、２．８インチを超えることはできない。幾つかの実施形態では、奥行き寸法Ｄ又は幅寸法Ｗは、４．４インチ超、４．５インチ超、４．６インチ超、４．７インチ超、４．８インチ超、４．９インチ超、又は４．６インチ〜５インチであってよい。幾つかの実施形態では、高さ寸法Ｈは、２．７インチ超、２．６インチ超、２．５インチ超、２．４インチ超、２．３インチ超、２．２インチ超、２．１インチ超、２インチ超、１．９インチ超、又は１．８インチ超であってよい。特定の実施形態では、ゴルフクラブヘッド１００の高さ寸法Ｈは、約６３．５ｍｍ〜７１ｍｍ（２．５インチ〜２．８インチ）であってよく、幅寸法Ｗは約１１６．８４ｍｍ〜約１２７ｍｍ（４．６インチ〜５．０インチ）であってよく、奥行き寸法Ｄは約１１１．７６ｍｍ〜約１２７ｍｍ（４．４インチ〜５．０インチ）であってよい。
【００６４】
寸法Ｗ、Ｄ、及びＨは、ヒール側１０２及びトゥ側１０４、前側１０６及び後側１１０、並びに上側１１４及び底側１１８の、最も外側の点の垂直突起部間の水平線（図３Ａ〜３Ｃに示された軸２３０、２４０、及び２５０）上でそれぞれ測定される。ヒール側１０２の最も外側の点は、アドレス位置において水平地表面１４０より０．８７５インチ上にある、ヒール上の点として定義される。図３Ｂに例として示されているように、前側の最も外側の点は最も前方の点２８０であってよく、後側１１０の最も外側の点は最も後方の点２８２であってよい。Ｗは、Ｘ軸２３０上で測定される。Ｄは、Ｙ軸２４０上で測定される。Ｈは、Ｚ軸２５０上で測定される。Ｘ軸２３０及びＹ軸２４０は地表面１４０に平行であり、Ｚ軸２５０は地表面１４０に対して直角である。
【００６５】
図１Ａは、フェース中心位置１３６を更に示す。フェース中心位置１３６は、その全体が参照により本明細書に援用されている、２００５年３月２５日公開の「ＵＳＧＡ  Ｐｒｏｃｅｄｕｒｅ  ｆｏｒ  Ｍｅａｓｕｒｉｎｇ  ｔｈｅ  Ｆｌｅｘｉｂｉｌｉｔｙ  ｏｆ  ａ  Ｇｏｌｆ  Ｃｌｕｂｈｅａｄ，Ｒｅｖｉｓｉｏｎ  ２．０」を利用することによって検出される。具体的には、フェース中心位置１３６は、上記のＵＳＧＡ文書に記載されている、第６．１．４項及び図６．１に記載されている鋳型法によって検出される。
【００６６】
ゴルフクラブヘッド１００のＣＧ（重心）位置を測定するための座標系は、フェース中心位置１３６に位置する。一実施形態では、正の中心フェースＸ軸１３０は、クラブヘッド１００のヒール側１０２に向かって投影し、正の中心フェースＺ軸１３４は、クラブヘッド１００の上面１１４に向かって投影し、正の中心フェースＹ軸１３２は、地表面１４０に平行してクラブヘッド１００の後側１１０に向かって投影する。
【００６７】
幾つかの実施形態では、ゴルフクラブヘッド１００は、約−５ｍｍ〜約１０ｍｍのＣＧ  ｘ軸座標系、約１５ｍｍ〜５０ｍｍのＣＧ  ｙ軸座標系、及び約−１０ｍｍ〜約５ｍｍのＣＧ  ｚ軸座標系を持つＣＧを有し得る。幾つかの実施形態では、ＣＧ  ｙ軸座標系は、約２０ｍｍ〜約５０ｍｍであってよい。
【００６８】
幾つかの実施形態では、スコラライン１３８は、クラブフェース１０８の打撃フェース１０９上に位置してよい。幾つかの実施形態では、クラブフェース１０８上に示されている投影されたＣＧ位置２１０は、ゴルフクラブヘッド１００の「スイートスポット」と見なされる。投影されたＣＧ位置２１０は、一点上でゴルフクラブヘッド１００のバランスを取ることによって検出される。投影されたＣＧ位置２１０は、概ね、ゴルフクラブヘッド１００のクラブフェース１０８に対して直角な線に沿って投影される。幾つかの実施形態では、投影されたＣＧ位置２１０は、フェース中心位置１３６より上に２ｍｍ未満、フェース中心位置１３６より上に１ｍｍ未満、又はフェース中心位置１３６より下に最大１ｍｍ又は２ｍｍであってよい。
【００６９】
図１Ｂは、底側１１８、及び上側１１４と底側１１８との間の縁部１１２を示す、ゴルフクラブヘッド１００の底面図を示す。幾つかの実施形態では、ゴルフクラブヘッド１００は、ウェイトポート１８０と、ウェイトポート１８０に位置する調節可能なウェイト部１８２と、が提供されてよい。幾つかの実施形態では、ウェイトポート１８０及び調節可能なウェイト部１８２は、その全体が参照により本明細書に援用されている、２００８年８月５日に特許を受けた米国特許第７，４０７，４４７号に記載されている、ポート及びウェイト部と同一又は類似であってよい。
【００７０】
幾つかの実施形態では、ゴルフクラブヘッド１００は、クラブフェース１０８に近接したゴルフクラブヘッド１００の底側１１８の前側部分にある、チャネル側壁１８８を有する陥凹したチャネル部分１８６を含んでよい。チャネル部分１８６内の締結具開口部１８４は、シャフト（例えば、クラブシャフト１１０４）をゴルフクラブヘッド１００に装着するためにホーゼルインサート１５８と係合させるための、並びに／又は調節可能なロフト角、ライ角、及び／若しくはフェース角を可能にするための、例えばネジなどの機械的締結具１６３の挿入を可能にするために提供され得る。幾つかの実施形態では、ホーゼルインサート１５８は、その全体が参照により本明細書に援用されている、２０１２年１１月６日に特許を受けた米国特許第８，３０３，４３１号に記載されている、ロフト角、ライ角、又はフェース角のうちの少なくとも１つの調節を可能にするように構成され得る。
【００７１】
図１Ｃは、図１Ｂの線１Ｃ−１Ｃに沿った断面図を示す。幾つかの実施形態では、機械加工されたフェースインサート１９０は、ゴルフクラブヘッド１００上の前側開口部１９８に溶接され得る。フェースインサート１９０は、フェースインサート１９０の後側表面の中心部分に反転した凹部を有する可変のフェース厚さを有し得る。幾つかの実施形態では、クラウンインサート１７０は、ゴルフクラブヘッド１００の上側１１４の上面１１６のすべて又は一部を画定し得る。クラウンインサート１７０は、ゴルフクラブヘッド１００の上側１１４に接合されてよい。幾つかの実施形態では、クラウンインサート１７０は、クラウン棚部１７２の上に載っていてよい。幾つかの実施形態では、クラウンインサート１７０は、クラウン棚部１７２に接合されてよい。幾つかの実施形態では、クラウンインサート１７０は、複合材料を含んでよい。幾つかの実施形態では、クラウンインサート１７２の複合材料は、複数のプライ又は層を含む、複合レイアップであってよい。
【００７２】
幾つかの実施形態では、クラウン棚部１７２は、１〜７ｍｍ、１〜５ｍｍ、又は１〜３ｍｍの範囲の長さであってよい。幾つかの実施形態では、クラウン棚部１７２は、ゴルフクラブヘッド１００の上側１１４に形成される開口部１７３の周囲に連続的に延在してよい。幾つかの実施形態では、クラウン棚部１７２は、ゴルフクラブヘッド１００の上側１１４に形成される開口部１７３の周囲の一部に延在してよい。幾つかの実施形態では、クラウン棚部１７２は、ゴルフクラブヘッド１００の上側１１４に形成される開口部１７３のすべて又は一部の周りに延在する、複数の断続的な部分を含んでよい。クラウンインサート１７０及びクラウン棚部１７２は、本明細書で述べるクラウンインサート４４２及びクラウン棚部４５０と同一の要素であると見なされ得る。
【００７３】
幾つかの実施形態では、ゴルフボールとの衝突時のゴルフクラブヘッド１００の音を改善するため、複数のリブ１９４がチャネル部分１８６の内部に結合されてよい。
【００７４】
図１Ｄは、アドレス位置にあるゴルフクラブヘッド１００の平面図を示す。ホーゼル平面１５６は、地表面１４０に対して直角であり、ホーゼル軸１５４を包含した状態で示されている。加えて、ホーゼルインサート１５８によって調節され得る、中心フェースの名目上のフェース角１３７が示されている。正の通常フェース角は、ゴルフクラブヘッド１０８が、所定の測定点における中心線ターゲットの右側に位置付けられていることを示す。負の通常フェース角は、ゴルフクラブヘッド１０８が、所定の測定点における中心線ターゲットの左側に位置付けられていることを示す。トップライン１９２も、図１Ｄに示されている。トップライン１９２は、ゴルフクラブヘッド１００の上面１１６及びクラブフェース１０８の交点として定義される。幾つかの実施形態では、上面１１６の塗装線は、トップライン１９２で停止してよい。
【００７５】
図１Ｄ及び１Ｅは、ゴルフクラブヘッド１００の慣性モーメントが、クラブヘッド１００がアドレス位置にあるときの地表面１４０に対して略垂直方向にあるＣＧ２００を通って延在するＣＧ  Ｚ軸２０６と、打撃フェース１０９に略平行及びＣＧ  Ｚ軸２０６に対して略直角であり、ヒール−トゥ方向にＣＧ  ２００を通って延在するＣＧ  Ｘ軸２０２と、ＣＧ  Ｘ軸２０２及びＣＧ  Ｚ軸２０６に対して略直角であり、前後方向にＣＧ  ２００を通って延在するＣＧ  Ｙ軸２０４と、を含む、ゴルフクラブヘッド１００のＣＧ  ２００を通って延在する３本の軸を中心に画定され得ることを示す。ＣＧ  Ｘ軸２０２及びＣＧ  Ｙ軸２０４は両方とも、クラブヘッド１００がアドレス位置にあるときに、地表面１４０に対して略水平方向に延在する。
【００７６】
ゴルフクラブヘッドＣＧ  Ｘ軸２０２を中心とした慣性モーメントは、以下の等式で計算される。
【数１】
2018089365.tif 000003
【００７７】
上の等式１では、ｙはゴルフクラブヘッドのＣＧ  ｘｚ平面から無限小質量ｄｍまでの距離であり、ｚは、ゴルフクラブヘッドＣＧ  ｘｙ平面から無限小質量ｄｍまでの距離である。ゴルフクラブヘッドＣＧ  ｘｚ平面は、ＣＧ  Ｘ軸２０２及びＣＧ  Ｚ軸２０６によって画定される平面である。ＣＧ  ｘｙ平面は、ＣＧ  Ｘ軸２０２及びＣＧ  Ｙ軸２０４によって画定される平面である。
【００７８】
更に、ゴルフクラブヘッドＣＧ  Ｚ軸２０６を中心とした慣性モーメントは、以下の等式で計算される。
【数２】
2018089365.tif 000004
【００７９】
上の等式２では、ｘはゴルフクラブヘッドのＣＧ  ｙｚ平面から無限小質量ｄｍまでの距離であり、ｙは、ゴルフクラブヘッドＣＧ  ｘｚ平面から無限小質量ｄｍまでの距離である。ゴルフクラブヘッドＣＧ  ｙｚ平面は、ＣＧ  Ｙ軸２０４及びＣＧ  Ｚ軸２０６によって画定される平面である。
【００８０】
特定の実装では、ゴルフクラブヘッド１００は、ＣＧ  Ｚ軸２０６を中心とした慣性モーメント約４５０ｋｇ・ｍｍ２〜約６５０ｋｇ・ｍｍ２、ＣＧ  Ｘ軸２０２を中心とした慣性モーメント約３００ｋｇ・ｍｍ２〜約５００ｋｇ・ｍｍ２、及びＣＧ  Ｙ軸２０４を中心とした慣性モーメント約３００ｋｇ・ｍｍ２〜約５００ｋｇ・ｍｍ２を有し得る。
【００８１】
図１Ｅは、クラブヘッド１００のヒール側面図を示し、正の中心フェースのＹ軸１３２の側面図と、ＣＧ  ２００が前述の投影されたＣＧ位置２１０でクラブフェース１０８にどのように投影されるかを提供している。名目上の中心フェースのロフト角２２０は、地表面１４０に平行する水平面に対して、直角の中心フェースベクトル２２２によって生じる角度になることが示されている。
【００８２】
図１Ｆは、図１Ｄに示されている線１Ｆ−１Ｆに沿った断面図を示す。機械的締結具１６３は、スリーブ１６０とネジ止めにより係合するために締結具開口部１８４に挿入することがより簡単に見える。スリーブ１６０は、ゴルフクラブシャフト（例えば、クラブシャフト１１０４）がスリーブ１６０と接着剤接合するために挿入されることを可能にするための、スリーブ孔１６２を含み得る。幾つかの実施形態では、ホーゼル１５０又はその一部（例えば、ホーゼルインサート１５８）は、スリーブ１６０を受容するように構成されてよい。幾つかの実施形態では、ゴルフクラブヘッド１００は、クラブフェース１０８と上面１１６との間の遷移部分を強化するため、複数のクラウンリブ１９６を含んでよい。
【００８３】
幾つかの実施形態では、本明細書に記載されているゴルフクラブヘッドは、ロフト角、ライ角、若しくはフェース角を互いに組み合わせて又は互いとは無関係に、調節することが可能な、１つ又は２つ以上のロフト角、ライ角、又はフェース角システムを含んでよい。例えば、ホーゼルインサート１５８の一部、スリーブ孔１６２、及びゴルフクラブシャフト（例えば、クラブシャフト１１０４）は、組み立てられたゴルフクラブの長手方向軸１６４（図１Ｆを参照のこと）を集合的に画定する。幾つかの実施形態では、長手方向軸１６４は、スリーブ孔１６２と同軸であってよい。スリーブ１６０の一部は、アセンブリの長手方向軸１６４に沿ってシャフトをサポートするのに有効であり、長手方向軸１６４は、ホーゼルチューブ孔１５２のホーゼル軸１５４からオフセット角１６６だけオフセットされる。ホーゼル軸１５４は、ホーゼルチューブ孔１５２と同軸である。ホーゼルインサート１５８は、０．２５度の増分で０度〜４度であり得る、単一のオフセット角１６６を提供し得る。例えば、オフセット角１６６は、１．０度、１．２５度、１．５度、１．７５度、２．０度、２．２５度、２．５度、２．７５度、又は３．０度であり得る。図１Ｆに示された実施形態のオフセット角１６６は、１．５度である。幾つかの実施形態では、スリーブ１６０は、ゴルフクラブヘッド１００のロフト角、ライ角、又はフェース角を調節するように位置付けられることが可能であってよい。
【００８４】
図２は、ゴルフクラブヘッド１００から取り外したホーゼルインサート１５８及び機械的締結具１６３を示す。幾つかの実施形態では、ホーゼルインサート１５８は、その全体が参照により本明細書に援用されている、２０１２年１１月６日に出願された米国特許第８，３０３，４３１号に記載されている、調節可能なホーゼルインサートと同一又は類似であってよい。
【００８５】
図３Ａ〜３Ｃは、ゴルフクラブヘッド１００に対するＸ軸２３０、Ｙ軸２４０、及びＺ軸２５０を示す。上述のように、軸２３０、２４０、及び２５０は、ゴルフクラブヘッド１００の幅Ｗ、奥行きＤ、及び高さＨを測定するために使用される。図３Ａ〜３Ｃはまた、この適用例の目的で中心座標系を画定するため、中心Ｘ軸、Ｙ軸、及びＺ軸を示す。
【００８６】
この中心座標系は、クラウンインサートの周縁部（又は壁）と、クラブヘッド本体上の接合壁との間の１つ又は２つ以上の限界寸法を決定するために使用され得る。これらの限界寸法は、クラウンインサートと接合壁との間の接合部を特性化するために使用される。これらの限界寸法は、クラウンインサートと接合壁との間の接合部における、これら２つの間の分離部を決定するために使用される。
【００８７】
これらの限界寸法を所望の値に調整することは、接合壁とクラウンインサートとの間の接合部における応力集中中心点の形成を阻止するのに役立ち得る。例えば、複数の限界寸法を特定の値以下に調整することは、応力集中の形成を阻止するのに役立ち得る。更に、複数の限界寸法を特定の値以下の点の値における平均変動（average variation）を有するように調整することは、応力集中の形成を阻止するのに役立ち得る。
【００８８】
応力集中中心部の形成を阻止することは、同様にして、クラウンインサートと接合壁との間の接合部でのこれら２つの接着剤接合におけるひび割れの形成を阻止し得る。接着剤のひび割れは、クラブヘッドの構造的及び／又は視覚的欠陥をもたらし得る。限界寸法を特定の値以下に調整すること、及び／又は特定の値以下の点の間の平均変動を有するように限界寸法を調整することにより、ひび割れを排除することができる。
【００８９】
中心Ｚ軸２５２は、Ｚ軸２５０と平行し、幅Ｗ寸法の中点及び奥行きＤ寸法の中点（本明細書では以降「中点２６０」と呼ぶ）で、ゴルフクラブヘッド１００の上側１１４を通って垂直方向に延在する軸として定義される。幅Ｗ寸法の中点は、幅Ｗ寸法の合計値を２で割った値である。奥行きＤ寸法の中点は、奥行きＤ寸法の合計値を２で割った値である。
【００９０】
中心Ｙ軸２４２は、クラブヘッド１００の上面１１６で中心Ｚ軸２５２と交差し、Ｙ軸２４０に平行して延在する軸として定義される。換言すれば、中心Ｙ軸２４２は、中点２６０で上面１１６と交差し、Ｙ軸２４０に平行して延在する軸によって定義される。中心Ｘ軸２３２は、クラブヘッド１００の上面１１６で中心Ｚ軸２５２と交差し、Ｘ軸２３０に平行して延在する軸として定義される。換言すれば、中心Ｘ軸２３２は、中点２６０で上面１１６と交差し、Ｘ軸２３０に平行して延在する軸によって定義される。
【００９１】
中心Ｘ軸、Ｙ軸、及びＺ軸は、ゴルフクラブヘッドのクラウンインサートと、ゴルフクラブヘッドの接合壁との間の限界寸法を測定するための、限界点における垂直平面を画定するために使用される。更に、中心Ｘ軸及びＹ軸は、本出願では、ゴルフクラブヘッドのヒール部分、トゥ部分、前側部分、及び後側部分を画定するために使用され得る。図３Ｃは、クラブヘッド１００のヒール部分２７０、トゥ部分２７２、前側部分２７４、及び後側部分２７６を示す。クラブヘッド１００のヒール部分２７０は、中心Ｙ軸２４２のヒール側にあるクラブヘッド１００の部分によって画定される。クラブヘッド１００のトゥ部分２７２は、中心Ｙ軸２４２のトゥ側にあるクラブヘッド１００の部分によって画定される。クラブヘッド１００の前側部分２７４は、中心Ｘ軸２３２の前側にあるクラブヘッド１００の部分によって画定される。クラブヘッド１００の後側部分２７６は、中心Ｘ軸２３２の後側にあるクラブヘッド１００の部分によって画定される。
【００９２】
軸、測定値、部分、及び幾何学的位置（例えば、重心）は、図１Ａ〜１Ｆ及び３Ａ〜３Ｃでゴルフクラブヘッド１００に対して示されているが、これらの軸及び測定値は、任意のゴルフクラブヘッド（例えば、ゴルフクラブヘッド４００又はゴルフクラブヘッド１０００）に適用される。軸の位置及びＷ、Ｄ、Ｈの測定値は、所定のゴルフクラブヘッドのサイズ及び形状によって異なり得る。
【００９３】
図４Ａ〜４Ｄは、幾つかの実施形態によるゴルフクラブヘッド４００を示す。ゴルフクラブヘッド１００と同様に、ゴルフクラブヘッド４００は、ヒール側４０２と、トゥ側４０４と、クラブフェース４０８及び打撃フェース４０９を有する前側４０６と、後側４１０と、上面４１６を有する上側４１４（クラウンとも呼ばれる）と、底面４２０を有する底側４１８（ソール又はソール部分とも呼ばれる）と、ホーゼル（ホーゼル部分とも呼ばれる）４３０と、ホーゼルインサート４３２と、を含む。ホーゼルインサート４３２は、ホーゼルインサート１５８と同一又は類似であってよい。ゴルフクラブヘッド４００は、ゴルフクラブヘッド１００に関する上述の寸法と同一又は類似であり得る、幅寸法Ｗ、高さ寸法Ｈ、及び奥行き寸法Ｄを有し、ゴルフクラブヘッド１００に関する上記の方法と同じ方法で測定され得る。
【００９４】
幾つかの実施形態では、ゴルフクラブヘッド４００は、１つ又は２つ以上の取り外し可能なシャフト機構を含んでよい。幾つかの実施形態では、ホーゼルインサート４３２は、ホーゼルインサート１５８に関して記載されている方法と同じ方法で、ゴルフクラブヘッド４００のロフト角、ライ角、又はフェース角のうちの少なくとも１つの調節を可能にするため、取り外し可能なシャフトを含んでよい。幾つかの実施形態では、ゴルフクラブヘッド４００は、ゴルフクラブヘッド４００に形成される陥凹したチャネル（複数可）４３６内で摺動するように構成された、１つ又は２つ以上の移動可能なウェイト部４３４を含む、移動可能なウェイト技術を含んでよい。幾つかの実施形態では、陥凹チャネル４３６は、ゴルフクラブヘッド４００の底側４１８に形成されてよい。幾つかの実施形態では、クラブフェース４０８に近接した陥凹チャネル４３６は、シャフト（例えば、クラブシャフト１１０４）をゴルフクラブヘッド４００に装着するためにホーゼルインサート４３２と係合させるための、並びに／又は調節可能なロフト角、ライ角、及び／若しくはフェース角を可能にするための、ネジなどの機械的締結具の挿入を可能にするために、締結具開口部４３７を含んでよい。
【００９５】
移動可能なウェイト部４３４は、移動可能なウェイト部４３４をクラブヘッド４００に取り外し可能に固定するための締結具４３８を含み得る。締結具４３８を緩ませると、移動可能なウェイト部４３４が、陥凹チャネル４３６内で摺動可能になる。締結具４３８を締めると、移動可能なウェイト部４３４が、陥凹チャネル４３６内の特定の位置に固定され得る。幾つかの実施形態では、陥凹チャネル（複数可）４３６及び／又は移動可能なウェイト部（複数可）４３４は、その全体が参照により本明細書に援用されている、２０１５年７月１日に出願された米国特許出願第１４／７８９，８３８号に記載されている、チャネル及びウェイト部と同一又は類似であってよい。
【００９６】
幾つかの実施形態では、ゴルフクラブヘッド４００は、１つ又は２つ以上の底面パネル／インサート４３９（ソールパネル／インサートとも呼ばれる）を含み得る。底面パネル４３９は、クラブヘッド４００の底面４２０の一部を画定し得る。幾つかの実施形態では、底面パネル４３９は、複合材料を含むパネルであってよい。幾つかの実施形態では、底面パネル（複数可）４３９の複合材料は、複数のプライ又は層を含む複合レイアップであってよい。幾つかの実施形態では、底面パネル４３９は、ソール部分に位置する凹部に挿入される。
【００９７】
特定の実施形態では、炭素繊維ソールパネル４３９は、炭素繊維の２つの別個のパネル又は１つの連続的パネルである。炭素繊維ソールパネル４３９は、本明細書に記載されているクラウン炭素繊維パネル（クラウンインサートとも呼ばれる）と同じレベルの寸法精度を有し得る。クラウン又はソール上の炭素繊維パネルがクラブヘッドの中点にない場合、二次の代替中点は、中心Ｙ軸に沿った又はそれに平行した単一の複合パネルの最大前後寸法と、中心Ｘ軸に沿った又はそれに平行した単一の複合パネルの最大ヒール−トゥ寸法と、を測定することによって検出され得る。代替二次中点は、複合パネル（クラウン又はソール上にある）の最大前後寸法の中点と、複合パネルの最大ヒール−トゥ寸法の中点と、の交点として定義される。代替二次中点が確立されると、複合パネルは、クラブヘッドの中心部分にある中点（例えば、中点２６０）に適用される同一の方法を使用して、一貫性が評価され得る。
【００９８】
複合材料の底面パネル４３９は、複合材料の高い強度重量特性により、機械的特性を犠牲にすることなく、ゴルフクラブヘッド４００の重量を最小限にするのに役立ち得る。底面パネル４３９に好適な複合材料としては、限定されるものではないが、炭素繊維複合物及び繊維ガラス複合物が挙げられる。幾つかの実施形態では、底面パネル４３９は、その全体が参照により本明細書に援用されている、２０１６年８月１０日に出願された米国特許出願第１５／２３３，８０５号に記載されている、パネルと同一又は類似であってよい。
【００９９】
クラウン領域又はソール領域のいずれかに位置する複合パネルは、様々な複合材料及びポリマー材料で作製されてよく、熱可塑性材料又は熱硬化性材料のいずれかで作製され得る。幾つかの実施形態では、熱可塑性複合ラミネート材料又は熱可塑性炭素複合ラミネート材料が使用され得る。複合材料は、射出成形材料、熱形成材料、熱硬化性複合材料、又はゴルフクラブヘッドの適用例に好適な他の材料であってよい。
【０１００】
１つの例示的な材料は、ＰＰＳ（ポリフェニレンスルフィド）マトリックス又はベース内で長く整列された炭素繊維を有する、熱可塑性の連続的な炭素繊維複合ラミネート材料である。シート形状で製造される、このタイプの材料の１つの商用例は、Ｌａｎｘｅｓｓ製のＴＥＰＥＸ（登録商標）ＤＹＮＡＬＩＴＥ  ２０７である。材料は、幾つかの実施形態では、４２％〜５７％の繊維体積を有してよい。幾つかの実施形態では、材料は、２００ｇ／ｍ２以下の重量がある。
【０１０１】
幾つかの実施形態では、炭素繊維クラウン又はソールインサート材料は、一方向性炭素繊維材料又はチョップド炭素繊維材料であってよい。熱硬化性プロセスでは、ソール又はクラウンインサートは、加熱されたときに起動する、樹脂及び硬膜剤処方で予備含浸される、織又は一方向性の複合繊維布（炭素繊維など）のプリプレグプライで作製され得る。プリプレグプライは、気泡体又は圧縮型など、熱硬化性プロセスに好適な成形型に置かれ、前後軸に対して０°、＋４５°、−４５°、９０°、又は−９０°などの異なる方向に配向された炭素繊維又は他の繊維と共にスタック／配向される。一実施形態では、プリプレグシートは、約７０ｇ／ｍ２又は４０ｇ／ｍ２〜１００ｇ／ｍ２の目付を有する擬似等方性レイアップを有する。一実施形態では、プリプレグシート（Ｎｅｗｐｏｒｔ  ３０１など）を含浸するために使用されるエポキシ樹脂は、約４０％又は２０％〜８０％の樹脂含量（Ｒ／Ｃ）を有する。
【０１０２】
熱硬化性ソール／クラウンインサート用の炭素繊維強化材料は、Ｇｒａｆｉｌ，Ｉｎｃ．（Ｓａｃｒａｍｅｎｔｏ，Ｃａｌｉｆｏｒｎｉａ）から入手可能な「３４−７００」繊維として知られる炭素繊維であってよく、この炭素繊維は、２３５ＧＰａ（３４Ｍｓｉ）の引張り弾性率と、４５００ＭＰａ（６５０Ｋｓｉ）の引張り強度を有する。幾つかの実施形態では、引張り弾性率は、１００ＧＰａから４００ＧＰａであり、引張り強度は２０００ＭＰａ〜６０００ＭＰａである。
【０１０３】
幾つかの実施形態では、複合レイアップの上部可視層（例えば、図１２に示されている上層１２１０）は、３Ｋ織及び編組織であってよく、クラウンインサート又はソールインサートの前側部分にあるインサートの縁部まで延在する。インサート上の様々な限界点にわたって一貫性の高い第１の限界寸法を生成する効果は、上層（織など）の縁部が、上層に顕著な変動を有する（having leaving）ことなく、複合インサート及び本体の交点に明白に位置し得る点にある。
【０１０４】
幾つかの実施形態では、クラブヘッド４００の底側４１８は、底面パネル（複数可）４３９の少なくとも一部を受容するように構成された１つ又は２つ以上の凹部を画定する、１つ又は２つ以上の棚部及び接合壁を含んでよい。これらの棚部及び接合壁は、本明細書に記載されているクラウン棚部４５０及び接合壁４５４と類似の構成を有し得る。更に、底面パネル４３９は、クラウンインサート４４２について本明細書で述べた方法と同じ方法で、凹部に位置付けられ得る。例えば、クラブヘッドの底面パネル（複数可）４３９と底側４１８との間の接合部（複数可）における限界寸法の測定及び調整は、クラブヘッド４００のクラウンインサート４４２及び上側４１４について本明細書で述べた方法と同様の方法で実行され得る。
【０１０５】
クラブヘッド４００の上側４１４（すなわち、クラウン）は、クラウン部分４４０及びクラウンインサート４４２によって画定され得る。クラウン部分４４０及びクラウンインサート４４２は、２部エポキシなどの接着剤によって取り付けられた、別個に形成された片であり得る。幾つかの実施形態では、クラウンインサート４４２は、複合材料を含んでよい。幾つかの実施形態では、クラウンインサート４４２の複合材料は、複数のプライ又は層を含む複合レイアップであってよい。クラウンインサート４４２に好適な複合材料としては、限定されるものではないが、上記のように、炭素繊維複合物及び繊維ガラス複合物が挙げられる。幾つかの実施形態では、クラウン又はソールインサートは、限定されるものでないが、アルミニウム、チタン、タングステン、マグネシウム、又はこれらの材料の１つ若しくは２つ以上を含む合金などの、金属材料から構成され得る。幾つかの実施形態では、クラウン又はソールインサートは、プラスチック又は短繊維複合物など、クラブヘッド本体の残部よりも密度の低い材料であってよい。
【０１０６】
幾つかの実施形態では、クラウン部分４４０は、クラウン棚部４５０及び接合壁４５４によって画定されるクラウン凹部領域４５８（図４Ｂでは例示の目的で影付きの灰色）を含んでよい。クラウン部分４４０と組み立てる場合、クラウンインサート４４２は、クラウン凹部領域４５８内に少なくとも部分的に配置され得る。幾つかの実施形態では、クラウン凹部領域４５８は、クラウンインサート４４２全体を受容してよい。幾つかの実施形態では、クラウン凹部領域４５８は、クラブヘッド４００に形成される開口部４９０を含んでよい。
【０１０７】
接合壁４５４及びクラウン棚部４５０は、クラウン凹部領域４５８の周辺部のすべて又は一部を画定し得る。幾つかの実施形態では、接合壁４５４及びクラウン棚部４５０は、中点２６０を完全に取り囲む（すなわち、中点２６０を中心に３６０度回転で放射状に配置された）外周形状を有する、クラウン凹部領域４５８を画定し得る（例えば、図４Ｂのクラウン凹部領域４５８の外周形状を参照のこと）。換言すれば、接合壁４５４及びクラウン棚部４５０は、ゴルフクラブヘッド４００の上側４１４に形成される開口部４９０の周囲に連続的に延在し得る。
【０１０８】
幾つかの実施形態では、接合壁４５４及びクラウン棚部４５０は、中点２６０を部分的にのみ取り囲む外辺形状を有する、クラウン凹部領域４５８を画定し得る。例えば、クラウン凹部領域４５８は、クラブヘッド４００の前側部分の中点２６０を取り囲んでよく、クラブヘッド４００の後側部分のすべて又は一部は、クラウン凹部領域を欠いていてもよい。換言すれば、接合壁４５４及びクラウン棚部４５０は、開口部４９０の周囲の一部に延在し得る。かかる実施形態では、クラウンインサート４４２の一部は、クラブヘッド４００の一部（クラブヘッド４００の後側部分）にあるクラウン部分４４０の上面４４１に直接接合され得る。特定の実施形態では、接合壁４５４は、クラウン凹部領域４５８の全周辺部の２０％未満、３０％未満、４０％未満、５０％未満、７０％未満、８０％未満、又は９０％未満だけ、開口部４９０の周囲の一部に延在する。
【０１０９】
幾つかの実施形態では、接合壁４５４は、接合壁４５４を合わせて画定する、複数の別個の接合壁断片４５５を含み得る。同様に、幾つかの実施形態では、クラウン棚部４５０は、クラウン棚部４５０を合わせて画定する、複数の別個のクラウン棚部断片４５９を含み得る。
【０１１０】
クラウン棚部４５０のクラウン棚部表面４５２は、クラウン凹部領域４５８内のクラウンインサート４４２を支持し得る。幾つかの実施形態では、クラウン棚部表面４５２は、クラウンインサート４４２の底面４４８を支持するために１つ又は２つ以上の突出部４５３を含んでよい（例えば、図５Ａを参照のこと）。幾つかの実施形態では、突出部４５３は、クラウン棚部表面４５２で一体に形成されてよい。幾つかの実施形態では、突出部４５３は、クラウン棚部表面４５２に固定された（例えば、溶接又は接着による）別個の要素であってもよい。
【０１１１】
幾つかの実施形態では、突出部（複数可）４５３は、０．５ｍｍ以下の高さ又は棚部間隙（接合線の厚さとしても知られる）を有してよい。幾つかの実施形態では、高さ４７０は、０．３ｍｍ以下であってよい。幾つかの実施形態では、高さ４７０は、０．２ｍｍ以下であってよい。幾つかの実施形態では、高さ４７０は、０．１ｍｍ以下であってよい。突出部（複数可）４５３は、底面４４８をクラウン棚部４５０に接合する接着剤用の空間を提供するよう、クラウン棚部表面４５２より上の所望の距離に、クラウンインサート４４２の底面４４８を位置付けるのに役立ち得る。幾つかの実施形態では、突出部（複数可）４５３は存在しない場合があるが、棚部間隙は存在し得る。幾つかの実施形態では、クラウン棚部表面４５２は、クラウン棚部表面４５２とクラウンインサート４４２との間の棚部間隙を画定し得る。例えば、クラウン棚部表面４５２は、０．３ｍｍ又は０．２ｍｍ〜０．３ｍｍの棚部間隙を画定し得る。
【０１１２】
幾つかの実施形態では、突出部（複数可）４５３は、クラウン凹部領域４５８内のクラウンインサート４４２を水平にするのに役立ち得る（すなわち、クラウンインサート４４２の周辺壁４４４及び上面４４３が、接合壁４５４及びクラウン部分４４０の上面４４１と適切に整列することを確実にするのに役立ち得る）。幾つかの実施形態では、クラウン棚部表面４５２上の異なる突出部４５３は、異なる高さ４７０を有してよい。幾つかの実施形態では、クラウン棚部表面４５２は、クラウン棚部表面４５２に沿って延在する単一の突出部４５３を含んでよい。幾つかの実施形態では、単一のクラウン棚部突出部４５３は、クラウン棚部表面４５２に沿って変化する高さ４７０を有してよい。
【０１１３】
幾つかの実施形態では、クラウン棚部４５０は、増大した長さ４５１の１つ又は２つ以上の領域を含んでよい。増大した長さ４５１の領域は、クラブヘッド４００のトゥ部分、ヒール部分、前側部分、又は後側部分に位置し得る。非制限的な例として、クラウン棚部４５０は、増大した長さ４５１の領域を含む前側部分４７２を含み得る。増大した長さ４５１の領域は、接合用により大きい表面積を提供することにより、クラウン棚部４５０へのクラウンインサート４４２の接合を容易にし得る。幾つかの実施形態では、増大した長さ４５１の領域は、クラブヘッド４００がゴルフボールを打つときに最大応力を経験する、クラウン４１４上の領域（複数可）に位置してよい。
【０１１４】
幾つかの実施形態では、クラウンインサート４４２を接合壁４５４及び／又はクラウン棚部４５０に接合するために、接着剤４８０が使用されてよい（例えば、図５Ａを参照のこと）。好適な接着剤としては、限定されるものではないが、エポキシ樹脂、又は３Ｍ（登録商標）製のＤＰ４６０などの２部エポキシが挙げられる。
【０１１５】
幾つかの実施形態では、クラウンインサート４４２の上部周縁部４４５におけるクラウンインサート４４２の上面４４３の少なくとも一部は、接合壁４５４でのクラウン部分４４０の上面４４１より垂直距離４６０の分だけ下に配置されてよい。上面４４３を上面４４１より垂直距離４６０の分だけ下に配置することは、上面４４３が塗装層でコーティングされた後に、クラウンインサート４４２とクラウン部分４４０との間の中間面における平らな表面の形成を容易にし得る。本明細書で使用するとき、用語「平らな」は、少なくともそれぞれの縁部で同じ幾何学的平面を共有する、クラウンインサート４４２の上面４４３と、クラウン部分４４０の上面４４１と、を指す。幾つかの実施形態では、平らな表面は、＋／−０．０２ｍｍの偏差内で平らになり得る。クラウンインサート４４２とクラウン部分４４０との間の中間面における平らな表面は、クラウン部分４４０及びクラウンインサート４４２の材料層及び／又は塗装層として見た目に魅力的になり得ない接着剤４８０の位置を隠すのに役立ち得る。
【０１１６】
幾つかの実施形態では、クラウンインサート又はソールインサートは、ゴルフクラブヘッド本体と異なる塗装又は色である。したがって、クラウンインサート又はソールインサート間の接合間隙（第１の限界寸法などの限界寸法によって測定）は、ユーザーにとって可視である。かかる事例では、クラウンインサート又はソールインサートは、必ずしも平らではなく（＋／−０．０２超の偏差を有する）、クラウンインサート又はソールインサートと、クラブヘッド本体との間の平らでない表面を可能にすることによって容易な組み立てを促進し得る。
【０１１７】
幾つかの実施形態では、ソール又はクラウン上の直接隣接する本体部分に対して、クラウン／ソールインサート間の色対比は高い。インサートと本体部分との間のＬ＊値が５０を超える差を有する場合、暗色から明色への遷移は、「高対比」として定義され得る。幾つかの実施形態では、対比は、１０超、２０超、３０超、又は４０超のＬ＊値差として定義される。幾つかの実施形態では、インサートと隣接する本体色との間のＬ＊値は、６０超又は６５超である。
【０１１８】
実施例も便宜上、Ｌ＊ａ＊ｂ＊色値又はＬ＊Ｃ＊ｈ色値を使用するＣＩＥＬａｂ色空間に関して記載されているが、他の色説明を使用することもできる。本明細書で使用するとき、Ｌ＊は明るさと称され、ａ＊及びｂ＊は色度座標と称され、Ｃ＊は彩度と称され、ｈは色相と称される。ＣＩＥＬａｂ色空間では、＋ａ＊は赤方向、−ａ＊は緑方向、＋ｂ＊は黄色方向、及び−ｂ＊は青方向である。Ｌ＊は、完全白色拡散体に対して値１００を有する。彩度及び色相は、ａ＊及びｂ＊に関連付けられた極座標であり、彩度（Ｃ＊）は、ａ＊＝ｂ＊＝０に沿った軸からの距離であり、色相は＋ａ＊軸から反時計回りに測定された角度である。以下の説明は概ね、１０度での標準光源Ｄ６５に関連付けられた値に基づいている。この光源は、戸外の昼光照明に似ているが、所望に応じて他の光源を同様に使用することもでき、本明細書で提供する集計データは概ね、１０度での光源Ａ及び１０度での光源Ｆ２の値を含む。これらの光源は、便宜上、Ｄ、Ａ、及びＦとして簡単に集計データに表記されている。明るさ及び強度という用語が、ＣＩＥＬａｂ座標Ｌ＊を指すために以下の説明で使用される。
【０１１９】
インサート又は本体上の塗装コーティングの厚さは、塗装される材料のタイプに基づいて異なり得る。例えば、一実施形態では、金属本体は、約４５〜６０マイクロメートルの合わせた厚さを有するプライマー層及び塗装層、並びに約５０〜６０マイクロメートルのクリア塗料層によって塗装される。別の実施形態では、複合本体は、約２５〜４０マイクロメートルの合わせた厚さを有するプライマー層及び塗装層、並びに約３０〜４０マイクロメートルのクリア塗料層によって塗装される。
【０１２０】
幾つかの実施形態では、垂直距離４６０は、０．１ｍｍ〜０．３ｍｍの範囲内であってよい。幾つかの実施形態では、垂直距離４６０は、０．３ｍｍ以下であってよい。幾つかの実施形態では、垂直距離４６０は、０．２ｍｍ以下であってよい。幾つかの実施形態では、垂直距離４６０は、０．１ｍｍ以下であってよい。幾つかの実施形態では、垂直距離４６０は、クラウンインサート４４２の上面４４３上に塗装される塗装層の厚さに等しくてよい。幾つかの実施形態では、クラウンインサート４４２の塗装層は、クラウン部分４４０の材料又は塗装層とは異なる色及び／又は表面質感を有してよい。
【０１２１】
幾つかの実施形態では、垂直距離４６０は、クラウンインサート４４２の厚さ４６８を超える最大高さ４６２を有する、接合壁４５４によって生成され得る。幾つかの実施形態では、最大高さ４６２は、１．０ｍｍ〜０．９ｍｍの範囲内であってよい。幾つかの実施形態では、クラウンインサート４４２の厚さ４６８は、０．７５ｍｍ以下であってよい。幾つかの実施形態では、厚さ４６８は、０．６５ｍｍ又は１ｍｍ以下であってよい。幾つかの実施形態では、クラウンインサート４４２は、クラウンインサートの厚さ４６８を画定する６つのプライを備える複合材料で構成され得る。
【０１２２】
幾つかの実施形態では、クラウン部分４４０は、０．２〜１．５ｍｍの範囲内の厚さ４７４を有し得る。幾つかの実施形態では、クラウン棚部４５０は、０．５ｍｍ〜０．７ｍｍの範囲内の厚さ４６６を有し得る。幾つかの実施形態では、クラウン棚部４５０は、１ｍｍ〜７．５ｍｍ、２ｍｍ〜６ｍｍ、又は３ｍｍ〜５ｍｍの範囲内の長さ４６４を有し得る。幾つかの実施形態では、クラウン棚部４５０の増大した長さ４５１の領域は、５．０ｍｍ〜１０．０ｍｍの範囲内の長さ４６４を有し得る。非常に短い、一貫した接合間隙又は第１の限界寸法を有する有意な利点は、棚部長さ４６４をできるだけ短くすることができ、したがって、クラブヘッドのＣＧ位置を下げるために、クラブヘッドの下部に再配置され得る重量を節減できることにある。
【０１２３】
図４Ｄは、ゴルフクラブヘッド４００に関する以下の幾何学的平面を示す。ゴルフクラブヘッド４００の中心Ｚ軸と、ゴルフクラブヘッド４００の中心Ｙ軸と、によって画定される、第１の垂直平面５００。
【０１２４】
第１の垂直平面を、ゴルフクラブヘッド４００の中心Ｚ軸の周りで時計回りにθ度回転させることによって画定される、第２の垂直平面５０２。本出願では、時計回りは、ゴルフクラブヘッドの上側４１４（すなわち、図４Ｄに示されている図）に対する時計方向によって定義される。幾つかの実施形態では、θは、１度〜４５度の範囲内であってよい。幾つかの実施形態では、θは、２度、３度、４度、５度、１０度、２０度、又は３０度であってよい。
【０１２５】
第１の垂直平面５００を、ゴルフクラブヘッド４００の中心Ｚ軸の周りで反時計回りにθ度回転させることによって画定される、第３の垂直平面５０４。
【０１２６】
ゴルフクラブヘッド４００の中心Ｚ軸と、ゴルフクラブヘッド４００の中心Ｘ軸と、によって画定される、第４の垂直平面５０６。
【０１２７】
第４の垂直平面５０６を、ゴルフクラブヘッド４００の中心Ｚ軸の周りで時計回りにβ度回転させることによって画定される、第５の垂直平面５０８。幾つかの実施形態では、βは、１度〜４４度の範囲内であってよい。幾つかの実施形態では、βは、２度、３度、４度、５度、１０度、２０度、又は３０度であってよい。
【０１２８】
第４の垂直平面５０６を、ゴルフクラブヘッド４００の中心Ｚ軸の周りで反時計回りにβ度回転させることによって画定される、第６の垂直平面５１０。
【０１２９】
ゴルフクラブヘッド４００の中心Ｙ軸と、ゴルフクラブヘッド４００の中心Ｘ軸と、によって画定される、Ｘ−Ｙ平面５１２。
【０１３０】
図４Ｄはまた、ゴルフクラブヘッド４００に関する以下の限界点及び断面を示す。限界点及び断面は、本出願では、限界寸法を測定するために使用される。
【０１３１】
第１の垂直平面５００と、接合壁４５４の上縁部４５６との間の交点にある、クラブヘッド４００の前側部分に位置する第１の限界点５２０、及び第１の限界点５２０において接合壁４５４に対して直角である垂直平面上で取られた第１の断面５５０。
【０１３２】
第２の垂直平面５０２と、接合壁４５４の上縁部４５６との間の交点にある、クラブヘッド４００の前側部分に位置する第２の限界点５２２、及び第２の限界点５２２において接合壁４５４に対して直角である垂直平面上で取られた第２の断面５５２。
【０１３３】
第３の垂直平面５０４と、接合壁４５４の上縁部４５６との間の交点にある、クラブヘッド４００の前側部分に位置する第３の限界点５２４、及び第３の限界点５２４において接合壁４５４に対して直角である垂直平面上で取られた第３の断面５５４。
【０１３４】
第５の垂直平面５０８と、接合壁４５４の上縁部４５６との間の交点にある、クラブヘッド４００の前側部分に位置する第４の限界点５２６、及び第４の限界点５２６において接合壁４５４に対して直角である垂直平面上で取られた第４の断面５５６。
【０１３５】
第６の垂直平面５１０と、接合壁４５４の上縁部４５６との間の交点にある、クラブヘッド４００の前側部分に位置する第５の限界点５２８、及び第５の限界点５２８において接合壁４５４に対して直角である垂直平面上で取られた第５の断面５５８。
【０１３６】
第４の垂直平面５０６と、接合壁４５４の上縁部４５６との間の交点にある、クラブヘッド４００の前側部分に位置する第６の限界点５３０、及び第６の限界点５３０において接合壁４５４に対して直角である垂直平面上で取られた第６の断面５６０。
【０１３７】
第４の垂直平面５０６と、接合壁４５４の上縁部４５６との間の交点にある、クラブヘッド４００のヒール部分に位置する第７の限界点５３２、及び第７の限界点５３２において接合壁４５４に対して直角である垂直平面上で取られた第７の断面５６２。
【０１３８】
第１の垂直平面５００と、接合壁４５４の上縁部４５６との間の交点にある、クラブヘッド４００の後側部分に位置する第８の限界点５３４、及び第８の限界点５３４において接合壁４５４に対して直角である垂直平面上で取られた第８の断面５６４。
【０１３９】
第２の垂直平面５０２と、接合壁４５４の上縁部４５６との間の交点にある、クラブヘッド４００の後側部分に位置する第９の限界点５３６、及び第９の限界点５３６において接合壁４５４に対して直角である垂直平面上で取られた第９の断面５６６。
【０１４０】
第３の垂直平面５０４と、接合壁４５４の上縁部４５６との間の交点にある、クラブヘッド４００の後側部分に位置する第１０の限界点５３８、及び第１０の限界点５３８において接合壁４５４に対して直角である垂直平面上で取られた第１０の断面５６８。
【０１４１】
第５の垂直平面５０８と、接合壁４５４の上縁部４５６との間の交点にある、クラブヘッド４００の後側部分に位置する第１１の限界点５４０、及び第１１の限界点５４０において接合壁４５４に対して直角である垂直平面上で取られた第１１の断面５７０。
【０１４２】
第６の垂直平面５１０と、接合壁４５４の上縁部４５６との間の交点にある、クラブヘッド４００の後側部分に位置する第１２の限界点５４２、及び第１２の限界点５４２において接合壁４５４に対して直角である垂直平面上で取られた第１２の断面５７２。
【０１４３】
図５Ａ及び５Ｂは、断面５５０、５５２、５５４、５５６、５５８、５６０、５６２、５６４、５６６、５６８、５７０、及び５７２のいずれかに対応する幾つかの実施形態による、ゴルフクラブヘッド４００の断面図を示す。例えば、図５Ｂに示されているように、それぞれの断面は、接合壁４５４の上縁部４５６と、クラウンインサート４４２の上部周縁部４４５との間のＸ−Ｙ平面５１２に平行して測定される、第１の限界寸法５８０を有する。換言すれば、第１の限界寸法５８０は、接合壁４５４と、クラウンインサート４４２の上部周縁部４４５との間の接合間隙を測定する。接合間隙の小さな変動は、可視の接合間隙がゴルファーに示されることを可能にし、それによって、塗装層が接合間隙をマスクする又はカバーすることで、接合間隙の欠陥を隠す必要性を最小限に抑える。一実施形態では、接合間隙は、ユーザーに可視であり、接合間隙領域をカバーする塗装層又はマスキング層を有していない。別の実施形態では、図５Ａ及び５Ｂは、ソール凹部に位置するソールインサートを有するゴルフクラブヘッドの断面図を示す。
【０１４４】
幾つかの実施形態では、第１の限界寸法５８０は、０ｍｍ超であってよい（例えば、クラウンインサート４４２と接合壁４５４との間の接着剤４８０の存在による）が、第１の限界寸法５８０は、特定の値以下であってもよい。幾つかの実施形態では、それぞれの断面の第１の限界寸法５８０は、Ａｍｍ以下である。幾つかの実施形態では、Ａは、４．０ｍｍに等しくてよい。幾つかの実施形態では、Ａは、３．０ｍｍに等しくてよい。幾つかの実施形態では、Ａは、２．０ｍｍに等しくてよい。幾つかの実施形態では、Ａは、１．０ｍｍに等しくてよい。幾つかの実施形態では、Ａは、１．０ｍｍ未満であってよい。例えば、Ａは、０．９ｍｍ、０．８ｍｍ、０．７ｍｍ、０．６ｍｍ、０．５ｍｍ、０．４ｍｍ、０．３ｍｍ、０．２ｍｍ、又は０．１ｍｍに等しくてよい。幾つかの実施形態では、Ａは、０．６ｍｍ〜０．１ｍｍであってよい。
【０１４５】
幾つかの実施形態では、複数の断面５５０、５５２、５５４、５５６、５５８、５６０、５６２、５６４、５６６、５６８、５７０、及び５７２（例えば、２つ以上の断面、又は３つ以上の断面）間の第１の限界寸法５８０の平均変動は、０．２ｍｍ、０．１５ｍｍ、又は０．１ｍｍ以下である。幾つかの実施形態では、すべての断面間の第１の限界寸法５８０の平均変動は、０．１５ｍｍ又は０．１ｍｍ以下である。幾つかの実施形態では、クラブヘッド４００の前側部分に位置する複数の又はすべての断面間の第１の限界寸法５８０の平均変動は、０．２ｍｍ、０．１５ｍｍ、又は０．１ｍｍ以下である。例えば、幾つかの実施形態では、複数の又はすべての断面５５０、５５２、５５４、５５６、及び５５８（すなわち、第１の断面５５０から第５の断面５５８）間の第１の限界寸法５８０の平均変動は、０．２ｍｍ、０．１５ｍｍ、又は０．１ｍｍ以下である。幾つかの実施形態では、複数の又はすべての断面５５０、５５２、５５４、５５６、５５８、５６０、及び５６２（すなわち、第１の断面５５０から第７の断面５６２）間の第１の限界寸法５８０の平均変動は、０．２ｍｍ、０．１５ｍｍ、又は０．１ｍｍ以下である。
【０１４６】
幾つかの実施形態では、複数の断面５５０、５５２、５５４、５５６、５５８、５６０、５６２、５６４、５６６、５６８、５７０、及び５７２（例えば、２つ以上の断面、又は３つ以上の断面）間の第１の限界寸法５８０の平均変動は、０．０５ｍｍ以下である。幾つかの実施形態では、複数の断面５５０、５５２、５５４、５５６、５５８、５６０、５６２、５６４、５６６、５６８、５７０、及び５７２（例えば、２つ以上の断面、又は３つ以上の断面）間の第１の限界寸法５８０の平均変動は、部分範囲を含む０．２ｍｍ〜０．０１ｍｍである。換言すれば、複数の断面間の第１の限界寸法５８０の平均変動は、０．２ｍｍ、０．１９ｍｍ、０．１８ｍｍ、０．１７ｍｍ、０．１６ｍｍ、０．１５ｍｍ、０．１４ｍｍ、０．１３ｍｍ、０．１２ｍｍ、０．１１ｍｍ、０．１ｍｍ、０．０９ｍｍ、０．０８ｍｍ、０．０７ｍｍ、０．０６ｍｍ、０．０５ｍｍ、０．０４ｍｍ、０．０３ｍｍ、０．０２ｍｍ、若しくは０．０１ｍｍ、又は端点としてこれらの値のうちのいずれか２つを有する任意の範囲内であってよい。
【０１４７】
幾つかの実施形態では、複数の断面間の第１の限界寸法５８０の平均変動は、０．２ｍｍ未満、０．１５ｍｍ未満、０．１ｍｍ未満、０．０９ｍｍ未満、０．０８ｍｍ未満、０．０７ｍｍ未満、０．０６ｍｍ未満、０．０５ｍｍ未満、０．０４ｍｍ未満、０．０３ｍｍ未満、０．０２ｍｍ未満、又は０．０１ｍｍ未満であってよい。幾つかの実施形態では、複数の断面間の第１の限界寸法５８０の平均変動は、０．５ｍｍ〜０ｍｍ、０．１５ｍｍ〜０ｍｍ、０．２ｍｍ〜０ｍｍ、０．０１ｍｍ〜０．０９ｍｍ、０．０２ｍｍ〜０．０８ｍｍ、０．０３ｍｍ〜０．０７ｍｍ、又は０．０４ｍｍ〜０．０６ｍｍの範囲内であってよい。
【０１４８】
句「２つ以上の断面」は、特定の限界寸法範囲について記載されているが、本明細書に記載されているすべての寸法範囲は、３つ以上の断面、４つ以上の断面、５つ以上の断面、６つ以上の断面、７つ以上の断面、８つ以上の断面、９つ以上の断面、１０個以上の断面、１１個以上の断面、１２個以上の断面、２０個以上の断面、４０個以上の断面、５０個以上の断面、１００個以上の断面、２００個以上の断面、及び最大３６０個以上の断面に適用され得ることも考えられることを理解されたい。分析される断面の数は、選択されるβ及びθの値によって異なり得る。
【０１４９】
下の表１は、一実施形態によるゴルフクラブヘッドの第１の断面５５０から第５の断面５５８に関する第１の限界寸法５８０の平均変動を示す。表１に表すゴルフクラブヘッドについて、Ａは１．０ｍｍに等しい。
【表１】
2018089365.tif 000005
【０１５０】
表１では、それぞれの断面の変動（Ｖ）は、特定の断面の限界寸法（ＣＤ）と複数の限界寸法の平均との間の差の絶対値に等しい。また、平均変動は、複数の断面に関する変動の平均に等しい。
【０１５１】
表１では、それぞれの断面のＣＤは、複数の点にわたる平均ＣＤが結果的に０．８４８ｍｍとなるように平均化される。したがって、それぞれのＣＤが０．８４８ｍｍ平均値から差し引かれ、結果的に対応の変動Ｖになるように絶対値が使用される。それぞれの個体変動Ｖはまた、「平均変動」変数に平均化され得る。表１は、平均変動値０．０６２４ｍｍを示す。
【０１５２】
例えば、図５Ｂに示されているように、それぞれの断面はまた、接合壁４５４と、クラウンインサート４４２の下部周縁部４４６との間のＸ−Ｙ平面５１２に平行して測定される、第２の限界寸法５８２を有し得る。換言すれば、第２の限界寸法５８２は、接合壁４５４と、クラウンインサート４４２の下部周縁部４４６との間の接合間隙を測定する。幾つかの実施形態では、第２の限界寸法５８２は、０ｍｍ超であってよい（例えば、クラウンインサート４４２と接合壁４５４との間の接着剤４８０の存在による）が、第２の限界寸法５８２は、特定の値以下であってもよい。幾つかの実施形態では、それぞれの断面の第２の限界寸法５８２は、Ｂｍｍ以下である。Ｂの値は、Ａについて上述したように任意の値であってよい。
【０１５３】
幾つかの実施形態では、複数の断面５５０、５５２、５５４、５５６、５５８、５６０、５６２、５６４、５６６、５６８、５７０、及び５７２（例えば、２つ以上の断面、又は３つ以上の断面）間の第２の限界寸法５８２の平均変動は、０．２ｍｍ、０．１５ｍｍ、又は０．１ｍｍ以下である。幾つかの実施形態では、すべての断面間の第２の限界寸法５８２の平均変動は、０．２ｍｍ、０．１５ｍｍ、又は０．１ｍｍ以下である。幾つかの実施形態では、クラブヘッド４００の前側部分に位置する複数の又はすべての断面間の第２の限界寸法５８２の平均変動は、０．２ｍｍ、０．１５ｍｍ、又は０．１ｍｍ以下である。例えば、幾つかの実施形態では、複数の又はすべての断面５５０、５５２、５５４、５５６、５５８（すなわち、第１の断面５５０から第５の断面５５８）間の第２の限界寸法５８２の平均変動は、０．２ｍｍ、０．１５ｍｍ、又は０．１ｍｍ以下である。幾つかの実施形態では、複数の又はすべての断面５５０、５５２、５５４、５５６、５５８、５６０、及び５６２（すなわち、第１の断面５５０から第７の断面５６２）間の第２の限界寸法５８２の平均変動は、０．２ｍｍ、０．１５ｍｍ、又は０．１ｍｍ以下である。
【０１５４】
第２の限界寸法５８２間の平均変動の値は、第１の限界寸法５８０間の平均変動に関して上述したように、任意の値であってよい。また、第２の限界寸法５８２間の平均変動は、第１の限界寸法５８０の平均変動と同じ方法で計算される。
【０１５５】
図５Ｂに例示されているように、それぞれの断面はまた、接合壁４５４と、クラウンインサート４４２の周壁４４４の中点４４７との間のＸ−Ｙ平面５１２に平行して測定される、第３の限界寸法５８４を有し得る。換言すれば、第３の限界寸法５８４は、接合壁４５４と、クラウンインサート４４２の中点４４７との間の接合間隙を測定する。幾つかの実施形態では、第３の限界寸法５８４は、０ｍｍ超であってよい（例えば、クラウンインサート４４２と接合壁４５４との間の接着剤４８０の存在による）が、第３の限界寸法５８４は、特定の値以下であってもよい。幾つかの実施形態では、それぞれの断面の第３の限界寸法５８４は、Ｃｍｍ以下である。Ｃの値は、Ａについて上述したように任意の値であってよい。
【０１５６】
幾つかの実施形態では、複数の断面５５０、５５２、５５４、５５６、５５８、５６０、５６２、５６４、５６６、５６８、５７０、及び５７２（例えば、２つ以上の断面、又は３つ以上の断面）間の第３の限界寸法５８４の平均変動は、０．２ｍｍ、０．１５ｍｍ、又は０．１ｍｍ以下である。幾つかの実施形態では、すべての断面間の第３の限界寸法５８４の平均変動は、０．２ｍｍ、０．１５ｍｍ、又は０．１ｍｍ以下である。幾つかの実施形態では、クラブヘッド４００の前側部分に位置する複数の又はすべての断面間の第３の限界寸法５８４の平均変動は、０．２ｍｍ、０．１５ｍｍ、又は０．１ｍｍ以下である。例えば、幾つかの実施形態では、複数の又はすべての断面５５０、５５２、５５４、５５６、５５８（すなわち、第１の断面５５０から第５の断面５５８）間の第３の限界寸法５８４の平均変動は、０．２ｍｍ、０．１５ｍｍ、又は０．１ｍｍ以下である。幾つかの実施形態では、複数の又はすべての断面５５０、５５２、５５４、５５６、５５８、５６０、及び５６２（すなわち、第１の断面５５０から第７の断面５６２）間の第３の限界寸法５８４の平均変動は、０．２ｍｍ、０．１５ｍｍ、又は０．１ｍｍ以下である。
【０１５７】
第３の限界寸法５８４間の平均変動の値は、第１の限界寸法５８０間の平均変動に関して上述したように、任意の値であってよい。また、第３の限界寸法５８４間の平均変動は、第１の限界寸法５８０の平均変動と同じ方法で計算される。
【０１５８】
図５Ａ及び５Ｂは、ゴルフクラブヘッド４００の中心に向かって角度付けされた周壁４４４及び接合壁４５４（すなわち、内側に角度付けされた壁）を示す。周壁４４４及び接合壁４５４の角度は、例えば、１０度であってよい。周壁４４４及び接合壁４５４の角度は、周壁４４４と接合壁４５４との間の接合部の所望の形状によって異なり得る。様々な非限定的周壁４４４及び接合壁４５４の構成が、図６Ａ〜９Ｂに示されている。他の実施形態では、図５Ａ〜９Ｂは、ソール凹部に位置するソールインサートを有するゴルフクラブヘッドの断面図を示す。換言すれば、図５Ａ〜９Ｂに示される接合壁は、クラブヘッド４００のソール部分に形成される接合壁であってよく、図５Ａ〜９Ｂに示されている棚部はソール棚部であってよく、接合壁及び棚部は、底面パネル／インサート４３９のすべて又は一部を受容するためのソール凹部領域を画定し得る。
【０１５９】
図６Ａ及び６Ｂは、幾つかの実施形態により、外側に角度付けされた（すなわち、クラブヘッド４００のクラブフェース４０８に向かって角度付けされた）周壁４４４と、外側に角度付けされた接合壁４５４と、を示す。図６Ａ及び６Ｂにおける周壁４４４及び接合壁４５４の角度は、例えば、１０度であってよい。図７Ａ及び７Ｂは、幾つかの実施形態による、垂直に真っ直ぐな周壁４４４及び垂直に真っ直ぐな接合壁４５４を示す。図８Ａ及び８Ｂは、幾つかの実施形態による、内側に角度付けされた周壁４４４及び外側に角度付けされた接合壁４５４を示す。図９Ａ及び９Ｂは、外側に角度付けされた周壁４４４及び内側に角度付けされた接合壁４５４を示す。図８Ａ〜９Ｂにおける周壁４４４及び接合壁４５４の内側角度及び外側角度は、例えば、１０度であってよい。
【０１６０】
図１０Ａ〜１０Ｄは、幾つかの実施形態によるゴルフクラブヘッド１０００を示す。ゴルフクラブヘッド１００／４００と同様に、ゴルフクラブヘッド１０００は、ヒール側１００２と、トゥ側１００４と、クラブフェース１００８及び打撃フェース１００９を有する前側１００６と、後側１０１０と、上面１０１６を有する上側１０１４（クラウンとも呼ばれる）と、底面１０２０を有する底側１０１８（ソール又はソール部分とも呼ばれる）と、ホーゼル１０３０と、ホーゼルインサート１０３２と、を含む。ホーゼルインサート１０３２は、ホーゼルインサート１５８／４３２と同一又は類似であってよい。ゴルフクラブヘッド１０００は、ゴルフクラブヘッド１００について上述した寸法と同一又は類似であり得る、幅寸法Ｗ、高さ寸法Ｈ、及び奥行き寸法Ｄを有し、ゴルフクラブヘッド１００に関する上記の方法と同じ方法で測定され得る。
【０１６１】
クラブヘッド１０００の上側１０１４（すなわち、クラウン）は、クラウン部分１０４０及びクラウンインサート１０４２によって画定され得る。クラウン部分４４０及びクラウンインサート４４２は、クラブヘッド４００に関して本明細書で論じたクラウン部分１０４０及びクラウンインサート１０４２と同一又は類似であってよい。
【０１６２】
クラブヘッド４００と同様に、クラブヘッド１０００は、クラウン棚部１０５０及び接合壁１０５４によって画定されるクラウン凹部領域１０５８（図１０Ｂでは例示の目的で影付きの灰色）を含み得る。クラウン棚部１０５０及び接合壁１０５４は、クラウン棚部４５０及び接合壁４５４と同一又は類似であってよい。接着剤は、クラブヘッド４００に関して上述した方法と同じ方法で、クラウンインサート１０４２をクラウン棚部１０５０及び／又は接合壁１０５４に接合するために使用され得る。更に、クラウンインサート１０４２の周縁部（又は壁）と接合壁１０５４との間の限界寸法は、クラブヘッド４００に関して本明細書で述べた方法と同じ方法で確定され、測定され得る。
【０１６３】
幾つかの実施形態では、ゴルフクラブヘッド１０００には、ウェイトポート１０６０と、ウェイトポート１０６０に位置する調節可能なウェイト部１０６２と、が提供されてよい。ウェイトポート１０６０及び調節可能なウェイト部１０６２は、クラブヘッド１００に関して本明細書で述べたウェイトポート１８０及び調節可能なウェイト部１８２と同一又は類似であってよい。
【０１６４】
幾つかの実施形態では、ゴルフクラブヘッド１０００は、クラブフェース１００８に近接したゴルフクラブヘッド１０００の底側１０１８の前側部分にある、チャネル側壁１０７２を有する陥凹したチャネル部分１０７０を含んでよい。チャネル部分１０７０内の締結具開口部１０７４は、シャフト（例えば、クラブシャフト１１０４）をゴルフクラブヘッド１０００に装着するためにホーゼルインサート１０３２と係合させるための、並びに／又は調節可能なロフト角、ライ角、及び／若しくはフェース角を可能にするための、例えばネジなどの機械的締結具１０７６の挿入を可能にするために提供され得る。
【０１６５】
幾つかの実施形態では、ゴルフクラブヘッド１０００は、１つ又は２つ以上の底面パネル１０８０を含んでよい。幾つかの実施形態では、底面パネル１０８０は、複合材料を含むパネルであってよい。底面パネル１０８０は、クラブヘッド４００に関して本明細書で述べた底面パネル４３９と同一又は類似であってよい。
【０１６６】
図１１は、幾つかの実施形態によるゴルフクラブ１１００を示す。ゴルフクラブ１１００は、クラブヘッド１１０２及びクラブシャフト１１０４を含む。クラブシャフト１１０４は、ゴルフクラブヘッド１１０２のホーゼルに連結したグリップ端部１１０６及びクラブヘッド端部１１０８を含む。グリップ端部１１０６は、グリップ１１１０を含んでよい。ゴルフクラブヘッド１１０２は、本明細書で述べた任意のクラブヘッド（例えば、クラブヘッド１００、４００、及び１０００）と同一又は類似であってよい。幾つかの実施形態では、ゴルフクラブ１１００は、ゴルフクラブヘッド１１０２のロフト角、ライ角、又はクラブフェース角の少なくとも１つを調節するように構成された、１つ又は２つ以上の取り外し可能なシャフト機構を含んでよい。例えば、ゴルフクラブ１１００は、ゴルフクラブヘッド１１０２のロフト角、ライ角、又はクラブフェース角の少なくとも１つを調節するように構成された、調節可能なホーゼルインサートを含んでよい。幾つかの実施形態では、ゴルフクラブヘッド１１０２は、ゴルフクラブヘッド１１０２に形成される陥凹チャネル（複数可）内で摺動するように構成された、１つ又は２つ以上の移動可能ウェイトを含んでよい。
【０１６７】
図１２は、断面５５０、５５２、５５４、５５６、５５８、５６０、５６２、５６４、５６６、５６８、５７０、及び５７２のいずれかに対応するゴルフクラブヘッドの断面図を示す。図１２は、周壁１２０２、上部周縁部１２０４、及び下部周縁部１２０６を有するクラウンインサート１２００を示す。図１２はまた、接合壁１２２２及びクラウン棚部１２２８を有するクラウン部分１２２０を示す。
【０１６８】
図１２に示すように、クラウンインサート１２００及び／又は接合壁１２２２の縁部は、幾つかの実施形態では実質的に円形の形状を有してよい。実質的に円形の形状は、クラウン又はソールインサートの厚さの４分の１を超える角部半径として定義される。例えば、半径０．２５ｍｍの角部を有する厚さ１ｍｍのインサートは、実質的に円形の形状と見なされ、それゆえ、以下に記載される外挿方法を使用する。上の定義に基づいた実質的に円形の形状が存在しない場合、最上部の可視の縁部が、第１の限界寸法を測定するために使用され、最下部の縁部が第２の限界寸法を測定するために使用される。
【０１６９】
かかる縁部が実質的に円形の形状を有する場合は、図１２に、上部周縁部１２０４、下部周縁部１２０６、及び第１の限界点１２２４の位置を決定する方法が示されている。縁部１２０４及び１２０６、並びに点１２２４は、クラウンインサート１２００及び接合壁１２２２が、直角に形成された縁部を有する箇所に位置する。換言すれば、クラウンインサート１２００及び／又は接合壁１２２２の実質的に円形の縁部が、直角の縁部に外挿されて、上部周縁部１２０４、下部周縁部１２０６、及び第１の限界点１２２４の位置が決定される。上部周縁部１２０４、下部周縁部１２０６、及び第１の限界点１２２４の位置を決定した後、第１の限界寸法１２３０及び第２の限界寸法１２３２が、第１の限界寸法５８０及び第２の限界寸法５８２に関して記載されている方法と同じ方法で測定され得る。
【０１７０】
上記の限界寸法（例えば、第１、第２、及び第３の限界寸法）及び測定値を決定するため、クラウンインサート（例えば、複合クラウンインサート）の断片と、対応する接合壁及び構造と、が、２部エポキシを使用し、ＬＥＣＯ製のスプリングクリップ、部品番号８１０−４８５と、１：１比のＬＥＣＯ粉液樹脂と、を保持することで、ゴルフクラブヘッドから採取され、円筒形の成形型内でコールドマウント加工され得る。試料は、高解像度表示のために研磨され得る。Ｋｅｙｅｎｃｅ  ＶＨＸ−７００  Ｆ  Ｄｅｇｉｔａｌ  Ｍｉｃｒｏｓｃｏｐｅなど、２００Ｘ以上の能力を有する高解像度デジタル顕微鏡が選択されるべきである。
【０１７１】
幾つかの実施形態では、クラウンインサート（例えば、クラウンインサート１２００）は、例えば、上層（例えば、上層１２１０）を含む複数の層を含んでよい。幾つかの実施形態では、クラウンインサート又はソールインサート（例えば、クラウンインサート１７０、４４２、１０４２、又は１２００）の個々の層は、個々の複合プライによって画定されてよい。
【０１７２】
特定の実施形態の前述の説明は、当業者が知識を適用することにより、他の人にも可能である、そのような特定の実施形態を様々な用途に容易に変更及び／又は適合させ、過度の実験をすることなく、本発明の一般的な概念から逸脱することなく、本発明の一般的な性質を完全に明らかにするであろう。したがって、そのような適応及び修正は、本明細書に提示された教示及び指導に基づいて、開示された実施形態の等価物の意味及び範囲内にあることが意図される。本明細書の表現法又は用語法は、本明細書の用語法又は表現法が教示及び指針に照らして当業者によって解釈されるように、説明の目的のためであって限定のためではないことを理解されたい。
【０１７３】
本発明の広がり及び範囲は、上記の例示的な実施形態のいずれによっても制限されるべきではないが、特許請求の範囲及びそれらの等価物に従ってのみ規定されるべきである。
【図１Ａ】
2018089365.tif 000006
【図１Ｂ】
2018089365.tif 000007
【図１Ｃ】
2018089365.tif 000008
【図１Ｄ】
2018089365.tif 000009
【図１Ｅ】
2018089365.tif 000010
【図１Ｆ】
2018089365.tif 000011
【図２】
2018089365.tif 000012
【図３Ａ】
2018089365.tif 000013
【図３Ｂ】
2018089365.tif 000014
【図３Ｃ】
2018089365.tif 000015
【図４Ａ】
2018089365.tif 000016
【図４Ｂ】
2018089365.tif 000017
【図４Ｃ】
2018089365.tif 000018
【図４Ｄ】
2018089365.tif 000019
【図５Ａ】
2018089365.tif 000020
【図５Ｂ】
2018089365.tif 000021
【図６Ａ】
2018089365.tif 000022
【図６Ｂ】
2018089365.tif 000023
【図７Ａ】
2018089365.tif 000024
【図７Ｂ】
2018089365.tif 000025
【図８Ａ】
2018089365.tif 000026
【図８Ｂ】
2018089365.tif 000027
【図９Ａ】
2018089365.tif 000028
【図９Ｂ】
2018089365.tif 000029
【図１０Ａ】
2018089365.tif 000030
【図１０Ｂ】
2018089365.tif 000031
【図１０Ｃ】
2018089365.tif 000032
【図１０Ｄ】
2018089365.tif 000033
【図１１】
2018089365.tif 000034
【図１２】
2018089365.tif 000035
【手続補正書】
【提出日】平成29年11月22日(2017.11.22)
【手続補正１】
【補正対象書類名】特許請求の範囲
【補正対象項目名】全文
【補正方法】変更
【補正の内容】
【特許請求の範囲】
【請求項１】
グリップと、
ゴルフクラブシャフトと、
ホーゼル部分、クラウン、及びソール部分を有するゴルフクラブヘッドであって、
前記クラウンが、前記クラブヘッドの上面を画定し、クラウン部分を備え、前記クラウン部分が、
前記クラウン部分に形成され、クラウン棚部及び接合壁によって画定される、クラウン凹部領域と、
前記クラウン凹部領域内に少なくとも部分的に配置されているクラウンインサートと、を含む、ゴルフクラブヘッドと、
前記ゴルフクラブヘッドのトゥ側から前記ゴルフクラブヘッドのヒール側までのＸ軸に沿って測定される幅寸法と、
前記ゴルフクラブヘッドの最も前方の点から前記ゴルフクラブヘッドの最も後方の点までのＹ軸に沿って測定される奥行き寸法と、
前記幅寸法の中点及び前記奥行き寸法の中点で前記クラウンを通って垂直方向に延在する中心Ｚ軸と、
前記クラブヘッドの前記上面で前記中心Ｚ軸と交差し、前記Ｙ軸と平行に延在する、中心Ｙ軸と、
前記クラブヘッドの前記上面で前記中心Ｚ軸と交差し、前記Ｘ軸と平行に延在する、中心Ｘ軸と、
前記中心Ｚ軸及び前記中心Ｙ軸によって画定される第１の垂直平面と、
前記第１の垂直平面を、前記中心Ｚ軸を中心にして時計回りに３０度回転させることによって画定される、第２の垂直平面と、
前記第１の垂直平面を、前記中心Ｚ軸を中心にして反時計回りに３０度回転させることによって画定される、第３の垂直平面と、
前記中心Ｚ軸及び前記中心Ｘ軸によって画定される、第４の垂直平面と、
前記第４の垂直平面を、前記中心Ｚ軸を中心として時計回りに３０度回転させることによって画定される、第５の垂直平面と、
前記第４の垂直平面を、前記中心Ｚ軸を中心として反時計回りに３０度回転させることによって画定される、第６の垂直平面と、
前記中心Ｙ軸及び前記中心Ｘ軸によって画定されるＸ−Ｙ平面と、
前記第１の垂直平面と前記接合壁の上縁部との間の交点にある、前記クラブヘッドの前側部分に位置する第１の限界点、及び前記第１の限界点において前記接合壁に対して直角である垂直平面上に取られた第１の断面と、
前記第２の垂直平面と前記接合壁の前記上縁部との間の交点にある、前記クラブヘッドの前記前側部分に位置する第２の限界点、及び前記第２の限界点において前記接合壁に対して直角である垂直平面上に取られた第２の断面と、
前記第３の垂直平面と前記接合壁の前記上縁部との間の交点にある、前記クラブヘッドの前記前側部分に位置する第３の限界点、及び前記第３の限界点において前記接合壁に対して直角である垂直平面上に取られた第３の断面と、
前記第５の垂直平面と前記接合壁の前記上縁部との間の交点にある、前記クラブヘッドの前記前側部分に位置する第４の限界点、及び前記第４の限界点において前記接合壁に対して直角である垂直平面上に取られた第４の断面と、
前記第６の垂直平面と前記接合壁の前記上縁部との間の交点にある、前記クラブヘッドの前記前側部分に位置する第５の限界点、及び前記第５の限界点において前記接合壁に対して直角である垂直平面上に取られた第５の断面と、を含み、
それぞれの断面が、前記クラウンインサートと前記接合壁との間の接合間隙を画定し、前記接合壁の前記上縁部と前記クラウンインサートの上部周縁部との間の前記Ｘ−Ｙ平面に平行に測定される、第１の限界寸法を有し、それぞれの断面の前記第１の限界寸法がＡｍｍ以下であり、２つ以上の前記断面間の前記第１の限界寸法の平均変動が０．２ｍｍ以下である、ゴルフクラブ。
【請求項２】
Ａが１．０ｍｍである、請求項１に記載のゴルフクラブ。
【請求項３】
前記２つ以上の断面間の前記第１の限界寸法の前記平均変動が、０．１５ｍｍ以下である、請求項１又は請求項２に記載のゴルフクラブ。
【請求項４】
前記２つ以上の断面間の前記第１の限界寸法の前記平均変動が、０．１ｍｍ〜０ｍｍである、請求項１から請求項３のいずれかに記載のゴルフクラブ。
【請求項５】
前記クラウンインサートの一部と、前記クラウン部分の一部とが対比色である、請求項１から請求項４のいずれかに記載のゴルフクラブ。
【請求項６】
前記クラウンインサートが、前記クラウンインサートの前記上部周縁部まで延在する上層を含み、前記ゴルフクラブヘッドの前記前側部分に位置する前記クラウンインサートの前記上部周縁部において可視である、請求項１から請求項５のいずれかに記載のゴルフクラブ。
【請求項７】
前記接合間隙が可視であり、マスキング層によってカバーされていない、請求項１から請求項６のいずれかに記載のゴルフクラブ。
【請求項８】
前記ソール部分に形成され、ソール棚部及び接合壁によって画定されている、ソール凹部領域と、
前記ソール凹部領域内に少なくとも部分的に配置されているソールインサートと、を更に含む、請求項１から請求項７のいずれかに記載のゴルフクラブ。
【請求項９】
それぞれの断面が、前記接合壁と前記クラウンインサートの底部周縁部との間の前記Ｘ−Ｙ平面に平行して測定される第２の限界寸法を有し、それぞれの断面の前記第２の限界寸法が、Ｂｍｍ以下であり、２つ以上の前記断面間の前記第２の限界寸法の平均変動が、０．２ｍｍ以下である、請求項１から請求項８のいずれかに記載のゴルフクラブ。
【請求項１０】
Ｂが１．０ｍｍである、請求項９に記載のゴルフクラブ。
【請求項１１】
前記２つ以上の断面間の前記第２の限界寸法の前記平均変動が、０．１５ｍｍ以下である、請求項９又は請求項１０に記載のゴルフクラブ。
【請求項１２】
前記２つ以上の断面間の前記第２の限界寸法の前記平均変動が、０．２ｍｍ〜０ｍｍである、請求項９から請求項１１のいずれかに記載のゴルフクラブ。
【請求項１３】
前記クラウンインサートの前記上部周縁部における前記クラウンインサートの前記上面の少なくとも一部が、前記接合壁における前記クラウン部分の上面より下に配置されている、請求項１から請求項１２のいずれかに記載のゴルフクラブ。
【請求項１４】
前記クラウンインサートの前記上部周縁部における前記クラウンインサートの前記上面の少なくとも一部が、前記接合壁における前記クラウン部分の前記上面より、垂直距離で０．１ｍｍ〜０．３ｍｍだけ下に配置されている、請求項１３に記載のゴルフクラブ。
【請求項１５】
前記ホーゼル部分が、前記ゴルフクラブシャフトに装着されたスリーブを受容するように構成されており、前記スリーブが、前記ゴルフクラブヘッドのロフト角、ライ角、又はフェース角を調節するように位置付けられることが可能である、請求項１から請求項１４のいずれかに記載のゴルフクラブ。
【請求項１６】
前記クラウン棚部が、棚部表面と前記クラウンインサートとの間の棚部間隙を画定する棚部表面を含み、前記棚部間隙が０．３ｍｍ以下である、請求項１から請求項１５のいずれかに記載のゴルフクラブ。
【請求項１７】
前記クラウンインサートの厚さが、１ｍｍ以下である、請求項１から請求項１６のいずれかに記載のゴルフクラブ。
【請求項１８】
前記第４の垂直平面と前記接合壁の前記上縁部との間の交点にある、前記クラブヘッドのトゥ部分に位置する第６の限界点、及び前記第６の限界点において前記接合壁に対して直角である垂直平面上に取られた第６の断面と、
前記第４の垂直平面と前記接合壁の前記上縁部との間の交点にある、前記クラブヘッドのヒール部分に位置する第７の限界点、及び前記第７の限界点において前記接合壁に対して直角である垂直平面上に取られた第７の断面と、を含む、請求項１から請求項１７のいずれかに記載のゴルフクラブ。
【請求項１９】
前記ゴルフクラブヘッドが、前記ゴルフクラブヘッドの第１の位置から第２の位置へ移動するように構成されている移動可能ウェイトを含む、請求項１から請求項１８のいずれかに記載のゴルフクラブ。
【請求項２０】
ゴルフクラブヘッドであって、
前記クラブヘッドの上面を画定するクラウンであって、
クラウン部分と、
前記クラウン部分に形成され、クラウン棚部及び接合壁によって画定される、クラウン凹部領域と、
前記クラウン凹部領域内に少なくとも部分的に配置されているクラウンインサートと、を含む、クラウンと、
前記ゴルフクラブヘッドのトゥ側から前記ゴルフクラブヘッドの前記ヒール側までのＸ軸に沿って測定される幅寸法と、
前記ゴルフクラブヘッドの最も前方の点から前記ゴルフクラブヘッドの最も後方の点までのＹ軸に沿って測定される奥行き寸法と、
前記幅寸法の中点及び前記奥行き寸法の中点で前記クラウンを通って垂直方向に延在する中心Ｚ軸と、
前記クラブヘッドの前記上面で前記中心Ｚ軸と交差し、前記Ｙ軸と平行に延在する、中心Ｙ軸と、
前記クラブヘッドの前記上面で前記中心Ｚ軸と交差し、前記Ｘ軸と平行に延在する、中心Ｘ軸と、
前記中心Ｚ軸及び前記中心Ｙ軸によって画定される第１の垂直平面と、
前記第１の垂直平面を、前記中心Ｚ軸を中心として時計回りにθ度回転させることによって画定される、第２の垂直平面と、
前記第１の垂直平面を、前記中心Ｚ軸を中心として反時計回りにθ度回転させることによって画定される、第３の垂直平面と、
前記中心Ｚ軸及び前記中心Ｘ軸によって画定される、第４の垂直平面と、
前記第４の垂直平面を、前記中心Ｚ軸を中心として時計回りにβ度回転させることによって画定される、第５の垂直平面と、
前記第４の垂直平面を、前記中心Ｚ軸を中心として反時計回りにβ度回転させることによって画定される、第６の垂直平面と、
前記中心Ｙ軸及び前記中心Ｘ軸によって画定されるＸ−Ｙ平面と、
前記第１の垂直平面と前記接合壁の上縁部との間の交点にある、前記クラブヘッドの前側部分に位置する第１の限界点、及び前記第１の限界点において前記接合壁に対して直角である垂直平面上に取られた第１の断面と、
前記第２の垂直平面と前記接合壁の前記上縁部との間の交点にある、前記クラブヘッドの前記前側部分に位置する第２の限界点、及び前記第２の限界点において前記接合壁に対して直角である垂直平面上に取られた第２の断面と、
前記第３の垂直平面と前記接合壁の前記上縁部との間の交点にある、前記クラブヘッドの前記前側部分に位置する第３の限界点、及び前記第３の限界点において前記接合壁に対して直角である垂直平面上に取られた第３の断面と、
前記第５の垂直平面と前記接合壁の前記上縁部との間の交点にある、前記クラブヘッドの前記前側部分に位置する第４の限界点、及び前記第４の限界点において前記接合壁に対して直角である垂直平面上に取られた第４の断面と、
前記第６の垂直平面と前記接合壁の前記上縁部との間の交点にある、前記クラブヘッドの前記前側部分に位置する第５の限界点、及び前記第５の限界点において前記接合壁に対して直角である垂直平面上に取られた第５の断面と、を含み、
それぞれの断面が、前記クラウンインサートと前記接合壁との間の接合間隙を画定し、前記接合壁の前記上縁部と前記クラウンインサートの上部周縁部との間のＸ−Ｙ平面に平行に測定される、第１の限界寸法を有し、それぞれの断面の前記第１の限界寸法がＡｍｍ以下であり、７つ以上の前記断面間の前記第１の限界寸法の平均変動が０．１５ｍｍ以下であり、
θが１度〜４５度の範囲であり、βが１度〜４４度の範囲である、ゴルフクラブヘッド。
【請求項２１】
Ａが１．０ｍｍであり、θ及びβが３０度である、請求項２０に記載のゴルフクラブヘッド。
【請求項２２】
ゴルフクラブヘッドであって、
ホーゼル部分、クラウン、及びソール部分であって、
前記クラウンが、前記クラブヘッドの上面を画定し、クラウン部分を備え、前記クラウン部分が、
前記クラウン部分に形成され、クラウン棚部及び接合壁によって画定される、クラウン凹部領域と、
前記クラウン凹部領域内に少なくとも部分的に配置されているクラウンインサートと、を含む、クラウン部分を含む、ホーゼル部分、クラウン、及びソール部分と、
前記ゴルフクラブヘッドのトゥ側から前記ゴルフクラブヘッドの前記ヒール側までのＸ軸に沿って測定される幅寸法と、
前記ゴルフクラブヘッドの最も前方の点から前記ゴルフクラブヘッドの最も後方の点までのＹ軸に沿って測定される奥行き寸法と、
前記幅寸法の中点及び前記奥行き寸法の中点で前記クラウンを通って垂直方向に延在する中心Ｚ軸と、
前記クラブヘッドの前記上面で前記中心Ｚ軸と交差し、前記Ｙ軸と平行に延在する、中心Ｙ軸と、
前記クラブヘッドの前記上面で前記中心Ｚ軸と交差し、前記Ｘ軸と平行に延在する、中心Ｘ軸と、
前記中心Ｚ軸及び前記中心Ｙ軸によって画定される第１の垂直平面と、
前記第１の垂直平面を、前記中心Ｚ軸を中心にして時計回りに３０度回転させることによって画定される、第２の垂直平面と、
前記第１の垂直平面を、前記中心Ｚ軸を中心にして反時計回りに３０度回転させることによって画定される、第３の垂直平面と、
前記中心Ｚ軸及び前記中心Ｘ軸によって画定される、第４の垂直平面と、
前記第４の垂直平面を、前記中心Ｚ軸を中心として時計回りに３０度回転させることによって画定される、第５の垂直平面と、
前記第４の垂直平面を、前記中心Ｚ軸を中心として反時計回りに３０度回転させることによって画定される、第６の垂直平面と、
中心Ｙ軸及び中心Ｘ軸によって画定されるＸ−Ｙ平面と、
前記第１の垂直平面と前記接合壁の上縁部との間の交点にある、前記クラブヘッドの前側部分に位置する第１の限界点、及び前記第１の限界点において前記接合壁に対して直角である垂直平面上に取られた第１の断面と、
前記第２の垂直平面と前記接合壁の前記上縁部との間の交点にある、前記クラブヘッドの前記前側部分に位置する第２の限界点、及び前記第２の限界点において前記接合壁に対して直角である垂直平面上に取られた第２の断面と、
前記第３の垂直平面と前記接合壁の前記上縁部との間の交点にある、前記クラブヘッドの前記前側部分に位置する第３の限界点、及び前記第３の限界点において前記接合壁に対して直角である垂直平面上に取られた第３の断面と、
前記第５の垂直平面と前記接合壁の前記上縁部との間の交点にある、前記クラブヘッドの前記前側部分に位置する第４の限界点、及び前記第４の限界点において前記接合壁に対して直角である垂直平面上に取られた第４の断面と、
前記第６の垂直平面と前記接合壁の前記上縁部との間の交点にある、前記クラブヘッドの前記前側部分に位置する第５の限界点、及び前記第５の限界点において前記接合壁に対して直角である垂直平面上に取られた第５の断面と、を含み、
それぞれの断面が、前記クラウンインサートと前記接合壁との間の接合間隙を画定し、前記接合壁の前記上縁部と前記クラウンインサートの上部周縁部との間の前記Ｘ−Ｙ平面に平行に測定される、第１の限界寸法を有し、それぞれの断面の前記第１の限界寸法がＡｍｍ以下であり、５つ以上の前記断面間の前記第１の限界寸法の前記平均変動が０．２ｍｍ以下である、ゴルフクラブヘッド。
【請求項２３】
前記ホーゼル部分が、スリーブを受容するように構成されており、前記スリーブが、前記ゴルフクラブヘッドのロフト角、ライ角、又はフェース角を調節するように位置付けられること、及び機械的締結具によって前記ゴルフクラブヘッドに結合されることが可能である、請求項２２に記載のゴルフクラブヘッド。
【請求項２４】
前記５つ以上の断面間の前記第１の限界寸法の前記平均変動が、０．１５ｍｍ以下である、請求項２２又は請求項２３に記載のゴルフクラブヘッド。
【外国語明細書】
2018089365000001.pdf